(57)【要約】  冷凍サイクルで用いられる冷媒を圧縮する圧縮機（１１４ａ）と、直流電圧を生成するコンバータ（１２３）と、直流電圧から三相交流電圧を生成するインバータ（１２６）と、三相交流電圧が印加される複数のコイル（１１２Ｕ、１１２Ｖ、１１２Ｗ）を用いて、圧縮機（１１４ａ）を駆動するための駆動力を発生する電動機（１１１）と、複数のコイル（１１２Ｕ、１１２Ｖ、１１２Ｗ）の結線状態を、第１の結線状態及び第２の結線状態の間で切り換える結線切換部（１２８）と、結線切換部（１２８）の異常を検出する制御装置（１３５）とを備える。
2018078842.tif 000002
【特許請求の範囲】
【請求項１】
冷凍サイクルを用いた空気調和機であって、
前記冷凍サイクルで用いられる冷媒を圧縮する圧縮機と、
直流電圧を生成するコンバータと、
前記直流電圧から三相交流電圧を生成するインバータと、
前記三相交流電圧が印加される複数のコイルを用いて、前記圧縮機を駆動するための駆動力を発生する電動機と、
前記複数のコイルの結線状態を、第１の結線状態及び第２の結線状態の間で切り換える結線切換部と、
前記結線切換部の異常を検出する制御部と、を備えること
を特徴とする空気調和機。
【請求項２】
前記空気調和機の運転を開始する入力を受け付ける入力受付部をさらに備え、
前記制御部は、前記入力受付部が前記入力を受けた後、前記圧縮機が駆動する前に、前記結線切換部の異常を検出すること
を特徴とする請求項１に記載の空気調和機。
【請求項３】
室内機用のファンをさらに備え、
前記制御部は、前記ファンが駆動した後に、前記結線切換部の異常を検出すること
を特徴とする請求項２に記載の空気調和機。
【請求項４】
室外機用のファンをさらに備え、
前記制御部は、前記ファンが駆動した後に、前記結線切換部の異常を検出すること
を特徴とする請求項２に記載の空気調和機。
【請求項５】
前記空気調和機の運転を開始する入力を受け付ける入力受付部をさらに備え、
前記制御部は、前記入力受付部による前記入力の受け付けを契機として、前記結線切換部の異常を検出すること
を特徴とする請求項１に記載の空気調和機。
【請求項６】
室内機用のファンをさらに備え
前記制御部は、前記入力受付部が前記入力を受け付けた後、前記ファンが駆動する前に、前記結線切換部の異常を検出すること
を特徴とする請求項５に記載の空気調和機。
【請求項７】
前記インバータの入力側の電流の電流値を検出する電流検出部をさらに備え、
前記制御部は、前記電流値に基づいて、前記結線切換部の異常を検出すること
を特徴とする請求項１から６の何れか一項に記載の空気調和機。
【請求項８】
前記結線切換部は、前記複数のコイルの結線状態を、前記第１の結線状態及び前記第２の結線状態の何れか一方にし、
前記インバータ及び前記電動機は、第１の線、第２の線及び第３の線で接続されており、
前記インバータは、前記第１の線及び前記第２の線、前記第２の線及び前記第３の線、並びに、前記第３の線及び前記第１の線の組み合わせのそれぞれに順番に電圧を印加し、
前記電流検出部は、
前記インバータが前記第１の線及び前記第２の線にのみ電圧を印加した場合における前記インバータの入力側の電流の電流値を第１の電流値として検出し、
前記インバータが前記第２の線及び前記第３の線にのみ電圧を印加した場合における前記インバータの入力側の電流の電流値を第２の電流値として検出し、
前記インバータが前記第３の線及び前記第１の線にのみ電圧を印加した場合における前記インバータの入力側の電流の電流値を第３の電流値として検出し、
前記制御部は、前記第１の電流値、前記第２の電流値及び前記第３の電流値を比較することで、前記結線切換部の異常を検出すること
を特徴とする請求項７に記載の空気調和機。
【請求項９】
前記結線切換部は、前記複数のコイルの結線状態を、前記第１の結線状態及び前記第２の結線状態の何れか一方にし、
前記インバータ及び前記電動機は、第１の線、第２の線及び第３の線で接続されており、
前記インバータは、前記第１の線から前記第２の線及び前記第３の線への第１の方向にのみ、前記第２の線から前記第１の線及び前記第３の線への第２の方向にのみ、並びに、前記第３の線から前記第１の線及び前記第２の線への第３の方向にのみのそれぞれに順番に電流を流すように電圧を印加し、
前記電流検出部は、
前記インバータが前記第１の方向にのみ電流を流すように電圧を印加した場合における前記インバータの入力側の電流の電流値を第１の電流値として検出し、
前記インバータが前記第２の方向にのみ電流を流すように電圧を印加した場合における前記インバータの入力側の電流の電流値を第２の電流値として検出し、
前記インバータが前記第３の方向にのみ電流を流すように電圧を印加した場合における前記インバータの入力側の電流の電流値を第３の電流値として検出し、
前記制御部は、前記第１の電流値、前記第２の電流値及び前記第３の電流値を比較することで、前記結線切換部の異常を検出すること
を特徴とする請求項７に記載の空気調和機。
【請求項１０】
前記結線切換部は、前記複数のコイルの結線状態を、前記第１の結線状態及び前記第２の結線状態の何れか一方にし、
前記インバータ及び前記電動機は、第１の線、第２の線及び第３の線で接続されており、
前記インバータは、前記第１の線及び前記第２の線から前記第３の線への第１の方向にのみ、前記第２の線及び前記第３の線から前記第１の線への第２の方向にのみ、並びに、前記第１の線及び前記第３の線から前記第２の線への第３の方向にのみのそれぞれに順番に電流を流すように電圧を印加し、
前記電流検出部は、
前記インバータが前記第１の方向にのみ電流を流すように電圧を印加した場合における前記インバータの入力側の電流の電流値を第１の電流値として検出し、
前記インバータが前記第２の方向にのみ電流を流すように電圧を印加した場合における前記インバータの入力側の電流の電流値を第２の電流値として検出し、
前記インバータが前記第３の方向にのみ電流を流すように電圧を印加した場合における前記インバータの入力側の電流の電流値を第３の電流値として検出し、
前記制御部は、前記第１の電流値、前記第２の電流値及び前記第３の電流値を比較することで、前記結線切換部の異常を検出すること
を特徴とする請求項７に記載の空気調和機。
【請求項１１】
前記制御部は、前記第１の電流値、前記第２の電流値及び前記第３の電流値の少なくとも何れか一つが別の一つと異なる値である場合、又は、前記第１の電流値、前記第２の電流値及び前記第３の電流値の少なくとも一つが検出されない場合に、前記結線切換部に異常があると判断すること
を特徴とする請求項８から１０の何れか一項に記載の空気調和機。
【請求項１２】
前記制御部は、前記第１の電流値、前記第２の電流値及び前記第３の電流値のそれぞれの差の絶対値が、予め定められた閾値を超える場合に、前記第１の電流値、前記第２の電流値及び前記第３の電流値の少なくとも何れか一つが別の一つと異なる値であると判断すること
を特徴とする請求項１１に記載の空気調和機。
【請求項１３】
前記結線切換部は、前記電流検出部が前記第１の電流値、前記第２の電流値及び前記第３の電流値を検出した後に、前記複数のコイルの結線状態を、前記第１の結線状態及び前記第２の結線状態の何れか他方にし、
前記インバータは、前記第１の線及び前記第２の線、前記第２の線及び前記第３の線、並びに、前記第３の線及び前記第１の線の組み合わせのそれぞれに順番に電圧を印加し、
前記電流検出部は、
前記インバータが前記第１の線及び前記第２の線にのみ電圧を印加した場合における前記インバータの入力側の電流の電流値を第４の電流値として検出し、
前記インバータが前記第２の線及び前記第３の線にのみ電圧を印加した場合における前記インバータの入力側の電流の電流値を第５の電流値として検出し、
前記インバータが前記第３の線及び前記第１の線にのみ電圧を印加した場合における前記インバータの入力側の電流の電流値を第６の電流値として検出し、
前記制御部は、前記第４の電流値、前記第５の電流値及び前記第６の電流値を比較することで、前記結線切換部の異常を検出すること
を特徴とする請求項８に記載の空気調和機。
【請求項１４】
前記結線切換部は、前記電流検出部が前記第１の電流値、前記第２の電流値及び前記第３の電流値を検出した後に、前記複数のコイルの結線状態を、前記第１の結線状態及び前記第２の結線状態の何れか他方にし、
前記インバータは、前記第１の線から前記第２の線及び前記第３の線への第１の方向にのみ、前記第２の線から前記第１の線及び前記第３の線への第２の方向にのみ、並びに、前記第３の線から前記第１の線及び前記第２の線への第３の方向にのみのそれぞれに電流を流すように順番に電圧を印加し、
前記電流検出部は、
前記インバータが前記第１の方向にのみ電流を流すように電圧を印加した場合における前記インバータの入力側の電流の電流値を第４の電流値として検出し、
前記インバータが前記第２の方向にのみ電流を流すように電圧を印加した場合における前記インバータの入力側の電流の電流値を第５の電流値として検出し、
前記インバータが前記第３の方向にのみ電流を流すように電圧を印加した場合における前記インバータの入力側の電流の電流値を第６の電流値として検出し、
前記制御部は、前記第４の電流値、前記第５の電流値及び前記第６の電流値を比較することで、前記結線切換部の異常を検出すること
を特徴とする請求項９に記載の空気調和機。
【請求項１５】
前記結線切換部は、前記電流検出部が前記第１の電流値、前記第２の電流値及び前記第３の電流値を検出した後に、前記複数のコイルの結線状態を、前記第１の結線状態及び前記第２の結線状態の何れか他方にし、
前記インバータは、前記第１の線及び前記第２の線から前記第３の線への第１の方向にのみ、前記第２の線及び前記第３の線から前記第１の線への第２の方向にのみ、並びに、前記第１の線及び前記第３の線から前記第２の線への第３の方向にのみのそれぞれに電流を流すように順番に電圧を印加し、
前記電流検出部は、
前記インバータが前記第１の方向にのみ電流を流すように電圧を印加した場合における前記インバータの入力側の電流の電流値を第４の電流値として検出し、
前記インバータが前記第２の方向にのみ電流を流すように電圧を印加した場合における前記インバータの入力側の電流の電流値を第５の電流値として検出し、
前記インバータが前記第３の方向にのみ電流を流すように電圧を印加した場合における前記インバータの入力側の電流の電流値を第６の電流値として検出し、
前記制御部は、前記第４の電流値、前記第５の電流値及び前記第６の電流値を比較することで、前記結線切換部の異常を検出すること
を特徴とする請求項１０に記載の空気調和機。
【請求項１６】
前記インバータ及び前記電動機は、第１の線、第２の線及び第３の線で接続されており、
前記複数のコイルは、前記第１の線に一端が接続された第１のコイル、前記第２の線に一端が接続された第２のコイル及び前記第３の線に一端が接続された第３のコイルであり、
前記結線切換部は、
前記第１のコイルの他端の接続先を切り換える第１の切換部と、
前記第２のコイルの他端の接続先を切り換える第２の切換部と、
前記第３のコイルの他端の接続先を切り換える第３の切換部と、を備え、
前記第１の切換部、前記第２の切換部及び前記第３の切換部は、前記制御部からの指示に応じて、接続先を個別に切り換えること
を特徴とする請求項７に記載の空気調和機。
【請求項１７】
前記電流検出部は、
前記結線切換部が、前記複数のコイルの結線状態を、前記第１の結線状態及び前記第２の結線状態の何れか一方にし、前記インバータが前記第１の線及び前記第２の線にのみ電圧を印加した場合における前記インバータの入力側の電流の電流値を第１の電流値として検出し、
前記第１の切換部のみが、前記第１のコイルの接続先を切り換えた後に、前記インバータが、前記第１の線及び前記第２の線にのみ電圧を印加した場合における前記インバータの入力側の電流の電流値を第２の電流値として検出し、
前記制御部は、前記第１の電流値及び前記第２の電流値を比較することで、前記第１の切換部の異常を検出すること
を特徴とする請求項１６に記載の空気調和機。
【請求項１８】
前記電流検出部は、
前記結線切換部が、前記複数のコイルの結線状態を、前記第１の結線状態及び前記第２の結線状態の何れか一方にし、前記インバータが前記第１の線から前記第２の線及び前記第３の線への方向にのみ電流を流すように電圧を印加した場合における前記インバータの入力側の電流の電流値を第１の電流値として検出し、
前記第１の切換部のみが、前記第１のコイルの接続先を切り換えた後に、前記インバータが前記第１の線から前記第２の線及び前記第３の線への方向にのみ電流を流すように電圧を印加した場合における前記インバータの入力側の電流の電流値を第２の電流値として検出し、
前記制御部は、前記第１の電流値及び前記第２の電流値を比較することで、前記第１の切換部の異常を検出すること
を特徴とする請求項１６に記載の空気調和機。
【請求項１９】
前記電流検出部は、
前記結線切換部が、前記複数のコイルの結線状態を、前記第１の結線状態及び前記第２の結線状態の何れか一方にし、前記インバータが前記第１の線及び前記第２の線から前記第３の線への方向にのみ電流を流すように電圧を印加した場合における前記インバータの入力側の電流の電流値を第１の電流値として検出し、
前記第１の切換部のみが、前記第１のコイルの接続先を切り換えた後に、前記インバータが前記第１の線及び前記第２の線から前記第３の線への方向にのみ電流を流すように電圧を印加した場合における前記インバータの入力側の電流の電流値を第２の電流値として検出し、
前記制御部は、前記第１の電流値及び前記第２の電流値を比較することで、前記第１の切換部の異常を検出すること
を特徴とする請求項１６に記載の空気調和機。
【請求項２０】
前記第１の切換部、前記第２の切換部及び前記第３の切換部は、半導体スイッチであること
を特徴とする請求項１６から１９の何れか一項に記載の空気調和機。
【請求項２１】
前記半導体スイッチは、ＷＢＧ半導体を用いたスイッチング素子であること
を特徴とする請求項２０に記載の空気調和機。
【請求項２２】
複数のコイルを有する電動機を駆動する駆動装置であって、
直流電圧を生成するコンバータと、
前記直流電圧から三相交流電圧を生成し、前記複数のコイルに印加するインバータと、
前記複数のコイルの結線状態を、第１の結線状態及び第２の結線状態の間で切り換える結線切換部と、
前記結線切換部の異常を検出する制御部と、を備えること
を特徴とする駆動装置。
【発明の詳細な説明】
【技術分野】
【０００１】
本発明は、空気調和機及び駆動装置に関し、特に、電動機のコイルの結線状態を切り換えることのできる空気調和機及び駆動装置に関する。
【背景技術】
【０００２】
電動機の回転数（負荷）に応じて、Ｙ結線状態及びΔ結線状態といった結線状態を切り換えることで、効率的に電動機を駆動する方法が提案されている。例えば、空調負荷であれば、年間消費電力に対する寄与度が高い中間条件では、電動機をＹ結線状態にて駆動し、定格条件ではΔ結線状態で駆動することで、負荷の小さい中間条件の効率を向上させ、高い空調能力が必要となる定格条件では高出力化が可能である。【０００３】
結線状態をＹ結線状態とΔ結線状態との間で切り換えるためには、リレー及びコンタクタといった機械式ＳＷ（ＳＷｉｔｃｈ）又は双方向ＳＷといった半導体ＳＷからなる結線切換部が用いられる。そして、マイコン等の制御部からの信号にて、結線切換部を制御することで、結線状態を切り換えることができる。
ここで、結線切換部が故障した場合、結線異常状態となり、システムの動作不具合又は二次故障といった拡大被害が発生するおそれがある。【０００４】
特許文献１には、パルス印加時のモータ電流の傾きを二相間で検出する事で、インバータのスイッチング素子、電流検出回路及び巻線の異常を検出する異常診断方法が開示されている。
【先行技術文献】
【特許文献】
【０００５】
【特許文献１】特開平１０−０２３７９５号公報
【発明の概要】
【発明が解決しようとする課題】
【０００６】
特許文献１に記載された異常診断方法は、巻線自体の短絡等を検出することはできるが、結線切換部の短絡及び開放といった異常を検出することはできない。【０００７】
そこで、本発明は、結線切換部の異常を検出することができるようにすることを目的とする。
【課題を解決するための手段】
【０００８】
本発明の一態様に係る空気調和機は、冷凍サイクルを用いた空気調和機であって、前記冷凍サイクルで用いられる冷媒を圧縮する圧縮機と、直流電圧を生成するコンバータと、前記直流電圧から三相交流電圧を生成するインバータと、前記三相交流電圧が印加される複数のコイルを用いて、前記圧縮機を駆動するための駆動力を発生する電動機と、前記複数のコイルの結線状態を、第１の結線状態及び第２の結線状態の間で切り換える結線切換部と、前記結線切換部の異常を検出する制御部と、を備えることを特徴とする。【０００９】
本発明の一態様に係る駆動装置は、複数のコイルを有する電動機を駆動する駆動装置であって、直流電圧を生成するコンバータと、前記直流電圧から三相交流電圧を生成し、前記複数のコイルに印加するインバータと、前記複数のコイルの結線状態を、第１の結線状態及び第２の結線状態の間で切り換える結線切換部と、前記結線切換部の異常を検出する制御部と、を備えることを特徴とする。
【発明の効果】
【００１０】
本発明の一態様によれば、結線切換部の異常を検出することができる。
【図面の簡単な説明】
【００１１】
【図１】実施の形態１〜４に係る空気調和機の構成を概略的に示すブロック図である。
【図２】実施の形態１〜４に係る室外機の概略構成図である。
【図３】実施の形態１における、電動機と結線切換部との接続状態の第１例を示す概略図である。
【図４】実施の形態１及び２における室内機の構成を概略的に示すブロック図である。
【図５】（Ａ）及び（Ｂ）は、実施の形態１及び２のハードウェア構成例を示す概略図である。
【図６】実施の形態１における制御装置による異常検出シーケンスを示すフローチャートである。
【図７】実施の形態１において、インバータの駆動信号、相間電流及び母線電流の第１の例を示す概略図である。
【図８】実施の形態１において、インバータの駆動信号、相間電流及び母線電流の第２の例を示す概略図である。
【図９】実施の形態１において、インバータの駆動信号、相間電流及び母線電流の第３の例を示す概略図である。
【図１０】実施の形態１における、電動機と結線切換部との接続状態の第２例を示す概略図である。
【図１１】実施の形態１において、異常検出シーケンスを行う第１のタイミングを説明するためのタイムチャートである。
【図１２】実施の形態１において、異常検出シーケンスを行う第２のタイミングを説明するためのタイムチャートである。
【図１３】実施の形態２における制御装置による異常検出シーケンスを示すフローチャートである。
【図１４】実施の形態３における制御装置による異常検出シーケンスを示すフローチャートである。
【図１５】実施の形態４における制御装置による異常検出シーケンスを示すフローチャートである。
【発明を実施するための形態】
【００１２】
実施の形態１．
図１は、実施の形態１に係る、冷凍サイクルを用いた空気調和機１００の構成を概略的に示すブロック図である。
空気調和機１００は、室外に設置される室外機１１０と、室内に設置される室内機１５０と、リモコン１６０とを備える。
【００１３】
図２は、室外機１１０の概略構成図である。
室外機１１０は、電動機１１１と、室外空調部１１４と、駆動装置１２０とを備える。
【００１４】
電動機１１１は、駆動装置１２０からの三相交流電圧が印加される複数のコイルを用いて、室外空調部１１４に含まれている特定の部分を駆動する駆動力を発生する。電動機１１１は、Ｕ相電力線１１３Ｕ、Ｖ相電力線１１３Ｖ及びＷ相電力線１１３Ｗを介して、駆動装置１２０から三相交流電圧の印加を受ける。そして、電動機１１１は、Ｕ相電力線１１３Ｕに接続されているＵ相コイル１１２Ｕと、Ｖ相電力線１１３Ｖに接続されているＶ相コイル１１２Ｖと、Ｗ相電力線１１３Ｗに接続されているＷ相コイル１１２Ｗとを備える。
【００１５】
室外空調部１１４は、冷凍サイクルにおける室外側の動作を行う。例えば、室外空調部１１４は、圧縮機１１４ａ、室外熱交換器１１４ｂ、及び、室外ファン１１４ｃ等の装置を有する。
圧縮機１１４ａは、電動機１１１から駆動力を得て、冷凍サイクルで用いられる冷媒の圧縮を行う。
室外熱交換器１１４ｂは、冷媒の熱交換を行う。
室外ファン１１４ｃは、室外熱交換器１１４ｂに送風する室外機１１０用のファンである。
【００１６】
駆動装置１２０は、室外機１１０の各部を制御するとともに、電動機１１１を駆動するための装置である。
駆動装置１２０は、電源１２１と、リアクトル１２２と、コンバータ１２３と、インバータ１２６と、結線切換部１２８と、電流検出回路１３４と、制御装置１３５と、通信部１３６とを備える。
【００１７】
電源１２１は、交流電圧を出力する交流電源である。
コンバータ１２３は、電源１２１からリアクトル１２２を介して交流電圧を受けて、交流電圧に対して整流及び平滑化等を行うことで、直流電圧を生成する。
コンバータ１２３は、交流電圧を整流するブリッジダイオード１２４Ａ〜１２４Ｄと、出力電圧を平滑化する平滑コンデンサ１２５とを備える。
【００１８】
インバータ１２６は、コンバータ１２３からの直流電圧の入力を受けて、その直流電圧から三相交流電圧を生成して、生成された三相交流電圧を電動機１１１に出力する。
インバータ１２６は、第１のＵ相スイッチング素子１２６Ｕａ、第２のＵ相スイッチング素子１２６Ｕｂ、第１のＶ相スイッチング素子１２６Ｖａ、第２のＶ相スイッチング素子１２６Ｖｂ、第１のＷ相スイッチング素子１２６Ｗａ及び第２のＷ相スイッチング素子１２６Ｗｂが、Ｕ相、Ｖ相及びＷ相の３相ブリッジ接続されている。
【００１９】
第１のＵ相スイッチング素子１２６Ｕａは、Ｕ相上アーム、第２のＵ相スイッチング素子１２６Ｕｂは、Ｕ相下アームに相当する。第１のＵ相スイッチング素子１２６Ｕａ及び第２のＵ相スイッチング素子１２６Ｕｂは、Ｕ相電力線１１３Ｕに接続されている。
なお、第１のＵ相スイッチング素子１２６Ｕａには、第１のＵ相ダイオード１２７Ｕａが並列に接続され、第２のＵ相スイッチング素子１２６Ｕｂには、第２のＵ相ダイオード１２７Ｕｂが並列に接続されている。
【００２０】
第１のＶ相スイッチング素子１２６Ｖａは、Ｖ相上アーム、第２のＶ相スイッチング素子１２６Ｖｂは、Ｖ相下アームに相当する。第１のＶ相スイッチング素子１２６Ｖａ及び第２のＶ相スイッチング素子１２６Ｖｂは、Ｖ相電力線１１３Ｖに接続されている。
なお、第１のＶ相スイッチング素子１２６Ｖａには、第１のＶ相ダイオード１２７Ｖａが並列に接続され、第２のＶ相スイッチング素子１２６Ｖｂには、第２のＶ相ダイオード１２７Ｖｂが並列に接続されている。
【００２１】
第１のＷ相スイッチング素子１２６Ｗａは、Ｗ相上アーム、第２のＷ相スイッチング素子１２６Ｗｂは、Ｗ相下アームに相当する。第１のＷ相スイッチング素子１２６Ｗａ及び第２のＷ相スイッチング素子１２６Ｗｂは、Ｗ相電力線１１３Ｗに接続されている。
なお、第１のＷ相スイッチング素子１２６Ｗａには、第１のＷ相ダイオード１２７Ｗａが並列に接続され、第２のＷ相スイッチング素子１２６Ｗｂには、第２のＷ相ダイオード１２７Ｗｂが並列に接続されている。
【００２２】
それぞれのスイッチング素子１２６Ｕａ〜１２６Ｗｂは、例えば、ＩＧＢＴ（絶縁ゲート形トランジスタ）等のトランジスタにより構成することができる。
また、それぞれのスイッチング素子１２６Ｕａ〜１２６Ｗｂのオン及びオフは、制御装置１３５からの駆動信号ＤＳにより制御される。
【００２３】
結線切換部１２８は、電動機１１１が備える複数のコイルの結線状態を、第１の結線状態と第２の結線状態との間で切り換える。ここで、第２の結線状態は、第１の結線状態よりもインバータ１２６の線間電圧が低くなる状態である。例えば、第１の結線状態は、Ｙ結線状態であり、第２の結線状態は、Δ結線状態である。
結線切換部１２８は、Ｕ相スイッチ１２９Ｕと、Ｖ相スイッチ１２９Ｖと、Ｗ相スイッチ１２９Ｗとを備える。
【００２４】
Ｕ相スイッチ１２９Ｕは、Ｕ相コイル１１２Ｕの接続先を切り換える切換部である。
Ｖ相スイッチ１２９Ｖは、Ｖ相コイル１１２Ｖの接続先を切り換える切換部である。
Ｗ相スイッチ１２９Ｗは、Ｗ相コイル１１２Ｗの接続先を切り換える切換部である。
【００２５】
図３は、電動機１１１と結線切換部１２８との接続状態を示す概略図である。
Ｕ相コイル１１２Ｕの一端１１２Ｕａは、Ｕ相電力線１１３Ｕに接続されており、Ｕ相コイル１１２Ｕの他端１１２Ｕｂは、Ｕ相スイッチ１２９Ｕの共通接点１３０Ｕに接続されている。
そして、Ｕ相スイッチ１２９Ｕの第１の切換接点１３１Ｕは、Ｖ相スイッチ１２９Ｖの第１の切換接点１３１Ｖ及びＷ相スイッチ１２９Ｗの第１の切換接点１３１Ｗに接続されている。
また、Ｕ相スイッチ１２９Ｕの第２の切換接点１３２Ｕは、Ｖ相電力線１１３Ｖに接続されている。
そして、Ｕ相スイッチ１２９Ｕは、共通接点１３０Ｕとの接続を、第１の切換接点１３１Ｕ及び第２の切換接点１３２Ｕの間で切り換えることができる。
【００２６】
Ｖ相コイル１１２Ｖの一端１１２Ｖａは、Ｖ相電力線１１３Ｖに接続されており、Ｖ相コイル１１２Ｖの他端１１２Ｖｂは、Ｖ相スイッチ１２９Ｖの共通接点１３０Ｖに接続されている。
そして、Ｖ相スイッチ１２９Ｖの第１の切換接点１３１Ｖは、Ｕ相スイッチ１２９Ｕの第１の切換接点１３１Ｕ及びＷ相スイッチ１２９Ｗの第１の切換接点１３１Ｗに接続されている。
また、Ｖ相スイッチ１２９Ｖの第２の切換接点１３２Ｖは、Ｗ相電力線１１３Ｗに接続されている。
そして、Ｖ相スイッチ１２９Ｖは、共通接点１３０Ｖとの接続を、第１の切換接点１３１Ｖ及び第２の切換接点１３２Ｖの間で切り換えることができる。
【００２７】
Ｗ相コイル１１２Ｗの一端１１２Ｗａは、Ｗ相電力線１１３Ｗに接続されており、Ｗ相コイル１１２Ｗの他端１１２Ｗｂは、Ｗ相スイッチ１２９Ｗの共通接点１３０Ｗに接続されている。
そして、Ｗ相スイッチ１２９Ｗの第１の切換接点１３１Ｗは、Ｕ相スイッチ１２９Ｕの第１の切換接点１３１Ｕ及びＶ相スイッチ１２９Ｖの第１の切換接点１３１Ｖに接続されている。
また、Ｗ相スイッチ１２９Ｗの第２の切換接点１３２Ｗは、Ｕ相電力線１１３Ｕに接続されている。
そして、Ｗ相スイッチ１２９Ｗは、共通接点１３０Ｗとの接続を、第１の切換接点１３１Ｗ及び第２の切換接点１３２Ｗの間で切り換えることができる。
【００２８】
結線切換部１２８は、以上のように構成されているため、Ｕ相スイッチ１２９Ｕにおいて共通接点１３０Ｕ及び第１の切換接点１３１Ｕを接続し、Ｖ相スイッチ１２９Ｖにおいて共通接点１３０Ｖ及び第１の切換接点１３１Ｖを接続し、及び、Ｗ相スイッチ１２９Ｗにおいて共通接点１３０Ｗ及び第１の切換接点１３１Ｗを接続することで、電動機１１１を、Ｕ相コイル１１２Ｕの他端１１２Ｕｂ、Ｖ相コイル１１２Ｖの他端１１２Ｖｂ及びＷ相コイル１１２Ｗの他端１１２Ｗｂが接続されたＹ結線状態にすることができる。
一方、Ｕ相スイッチ１２９Ｕにおいて共通接点１３０Ｕ及び第２の切換接点１３２Ｕを接続し、Ｖ相スイッチ１２９Ｖにおいて共通接点１３０Ｖ及び第２の切換接点１３２Ｖを接続し、及び、Ｗ相スイッチ１２９Ｗにおいて共通接点１３０Ｗ及び第２の切換接点１３２Ｗを接続することで、電動機１１１を、Ｕ相コイル１１２Ｕの一端１１２Ｕａ及びＷ相コイル１１２Ｗの他端１１２ＷｂがＵ相電力線１１３Ｕに接続され、Ｖ相コイル１１２Ｖの一端１１２Ｖａ及びＵ相コイル１１２Ｕの他端１１２ＵｂがＶ相電力線１１３Ｖに接続され、Ｗ相コイル１１２Ｗの一端１１２Ｗａ及びＶ相コイル１１２Ｖの他端１１２ＶｂがＷ相電力線１１３Ｗに接続されたΔ結線状態にすることができる。
【００２９】
ここで、Ｕ相スイッチ１２９Ｕ、Ｖ相スイッチ１２９Ｖ及びＷ相スイッチ１２９Ｗは、制御装置１３５からの切換信号ＣＳＵ、ＣＳＶ、ＣＳＷにより、共通接点１３０Ｕ〜１３０Ｃの接続先を第１の切換接点１３１Ｕ〜１３１Ｗ及び第２の切換接点１３２Ｕ〜１３２Ｗの間で、個別に切り換えることができる。
【００３０】
Ｕ相スイッチ１２９Ｕ、Ｖ相スイッチ１２９Ｖ及びＷ相スイッチ１２９Ｗは、それぞれｃ接点スイッチとして記載されているが、これらはこのような例に限定されるものではない。Ｕ相スイッチ１２９Ｕ、Ｖ相スイッチ１２９Ｖ及びＷ相スイッチ１２９Ｗは、それぞれ、双方向に開閉することのできるスイッチであればよい。例えば、Ｕ相スイッチ１２９Ｕ、Ｖ相スイッチ１２９Ｖ及びＷ相スイッチ１２９Ｗは、ａ接点スイッチ又はｂ接点スイッチが組み合わされて構成されていてもよく、また、半導体スイッチであってもよい。
【００３１】
なお、Ｕ相スイッチ１２９Ｕ、Ｖ相スイッチ１２９Ｖ及びＷ相スイッチ１２９Ｗは、オン時の導通損失が小さいものが好適であり、リレー又はコンタクタといった機械スイッチを用いることができる。しかしながら、これらのスイッチとして、ＳｉＣ又はＧａＮといったＷＢＧ（Ｗｉｄｅ  Ｂａｎｄ  Ｇａｐ）半導体を適用したスイッチング素子を使用することで、オン抵抗が小さく、低損失で素子発熱も抑制することができる。特に駆動中に結線状態を切換える際には、これらのスイッチを半導体にて構成した方が好適である。
【００３２】
また、半導体としてはノーマリオンの素子がオン状態の場合に、Ｙ結線状態となる構成とすることで、軽負荷（Ｙ結線）側での損失を低減することができ、軽負荷の寄与度が高い空気調和機１００に対して好適である。
【００３３】
図２に戻り、シャント抵抗１３３は、インバータ１２６のスイッチング時に母線Ｌ１、Ｌ２に流れる電流を、その電流に比例した電圧に変換し、電流検出回路１３４に伝達する。
【００３４】
電流検出回路１３４は、インバータ１２６の入力側の電流の電流値を検出する電流検出部である。実施の形態１では、電流検出回路１３４は、インバータ１２６の母線電流（入力電流）の電流値を検出しているが、電流値の検出は、このような例に限定されるものではない。例えば、インバータ１２６の相電流により、インバータ１２６の入力側の電流の電流値を算出してもよい。
【００３５】
制御装置１３５は、室外機１１０の各部を制御する制御部である。制御装置１３５は、特に、室外空調部１１４、インバータ１２６及び結線切換部１２８を制御する。
ここで、制御装置１３５は、結線切換部１２８の異常を検出する。例えば、制御装置１３５は、インバータ１２６及び結線切換部１２８を制御して、電流検出回路１３４で検出された電流値に基づいて、結線切換部１２８の異常を検出する。制御装置１３５での異常の検出方法については、後述する。
そして、制御装置１３５は、結線切換部１２８の異常を検出した場合には、通信部１３６を介して、室内機１５０に異常の検出を通知する。
【００３６】
制御装置１３５は、Ｕ相スイッチ１２９Ｕ、Ｖ相スイッチ１２９Ｖ及びＷ相スイッチ１２９Ｗを個別に制御することができる。例えば、制御装置１３５は、Ｕ相スイッチ１２９Ｕを制御するためのＵ相制御線１３５Ｕ、Ｖ相スイッチ１２９Ｖを制御するためのＶ相制御線１３５Ｖ、及び、Ｗ相スイッチ１２９Ｗを制御するためのＷ相制御線１３５Ｗの三本の制御線で結線切換部１２８と接続されている。そして、制御装置１３５は、Ｕ相スイッチ１２９Ｕを制御するためのＵ相切換信号ＣＳＵを、Ｕ相制御線１３５ＵからＵ相スイッチ１２９Ｕに送信することで、Ｕ相スイッチ１２９Ｕのスイッチングを制御することができる。同様に、制御装置１３５は、Ｖ相切換信号ＣＳＶを、Ｖ相制御線１３５ＶからＶ相スイッチ１２９Ｖに送信することで、また、Ｗ相切換信号ＣＳＷを、Ｗ相制御線１３５ＷからＷ相スイッチ１２９Ｗに送信することで、Ｖ相スイッチ１２９Ｖ及びＷ相スイッチ１２９Ｗのそれぞれのスイッチングを制御することができる。
【００３７】
通信部１３６は、室内機１５０との間で通信を行う。例えば、通信部１３６は、制御装置１３５からの指示に従い、結線切換部１２８の異常が検出されたことを示す通知信号を室内機１５０に送信する。
室外機１１０と室内機１５０とが３線で接続され、通信線を有しない場合には、通信部１３６は、電力線を用いて、通信を行う。一方、室外機１１０と室内機１５０とが４線で接続され、通信線を有する場合には、通信部１３６は、その通信線を用いて、通信を行う。なお、室外機１１０と室内機１５０とを、無線又は専用の有線等を用いて接続することもでき、通信部１３６は、このような接続を用いて、通信を行ってもよい。
【００３８】
図４は、実施の形態１における室内機１５０の構成を概略的に示すブロック図である。
室内機１５０は、室内空調部１５１と、第１の通信部１５２と、第２の通信部１５３と、表示部１５４と、制御部１５５とを備える。
【００３９】
室内空調部１５１は、冷凍サイクルにおける室内側の動作を行う。例えば、室内空調部１５１は、室内熱交換器１５１ａ及び室内ファン１５１ｂ等の装置を備える。
室内熱交換器１５１ａは、冷媒の熱交換を行う。
室内ファン１５１ｂは、室内熱交換器１５１ａに送風を行う、室内機１５０用のファンである。
【００４０】
第１の通信部１５２は、室外機１１０との間で通信を行う。
第２の通信部１５３は、リモコン１６０又はユーザ端末としてのスマートフォン１６１との間で通信を行う。
表示部１５４は、制御部１５５から指示された内容の表示を行う。
制御部１５５は、室内機１５０の各部を制御する。
ここで、制御部１５５は、第１の通信部１５２が、室外機１１０からの通知信号を受信した場合には、結線切換部１２８の異常が検出されたことをユーザに通知する。例えば、制御部１５５は、表示部１５４への表示、リモコン１６０での表示及びスマートフォン１６１での表示の少なくとも何れか一つを行うことで、ユーザへの通知を行う。
【００４１】
具体的には、制御部１５５は、表示部１５４に指示することで、結線切換部１２８の異常が検出されたことを示す表示を表示部１５４に行わせる。
また、制御部１５５は、第２の通信部１５３に、結線切換部１２８の異常が検出されたことを示す特定の信号をリモコン１６０へ送信させることで、リモコン１６０に、結線切換部１２８の異常が検出されたことを示す表示を行わせることができる。このような場合、第２の通信部１５３は、例えば、赤外線を用いた通信インターフェースにより構成することができる。
さらに、制御部１５５は、第２の通信部１５３に、結線切換部１２８の異常が検出されたことを示す通知データをスマートフォン１６１へ送信させることで、スマートフォン１６１に、結線切換部１２８の異常が検出されたことを示す表示を行わせることができる。このような場合、第２の通信部１５３は、無線ＬＡＮ（Ｌｏｃａｌ  Ａｒｅａ  Ｎｅｔｗｏｒｋ）の通信インターフェースにより構成することができる。
【００４２】
リモコン１６０は、各種指示の入力を受け付ける入力受付部として機能する。例えば、リモコン１６０は、空気調和機１００の運転を開始する入力を受け付ける。なお、スマートフォン１６１が、入力受付部として機能してもよい。
【００４３】
以上に記載された室外機１１０の制御装置１３５及び室内機１５０の制御部１５５の一部又は全部は、例えば、図５（Ａ）に示されているように、メモリ１０と、メモリ１０に格納されているプログラムを実行するＣＰＵ（Ｃｅｎｔｒａｌ  Ｐｒｏｃｅｓｓｉｎｇ  Ｕｎｉｔ）等のプロセッサ１１とにより構成することができる。このようなプログラムは、ネットワークを通じて提供されてもよく、また、記録媒体に記録されて提供されてもよい。
【００４４】
また、制御装置１３５及び制御部１５５の一部又は全部は、例えば、図５（Ｂ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路１２で構成することもできる。
【００４５】
次に、室外機１１０の制御装置１３５が結線切換部１２８の異常を検出する動作について説明する。
図６は、実施の形態１における制御装置１３５による異常検出シーケンスを示すフローチャートである。
ここでは、結線切換部１２８は、Ｙ結線状態又はΔ結線状態になっているものとする。
【００４６】
まず、制御装置１３５は、Ｕ相電力線１１３Ｕ及びＶ相電力線１１３Ｖのみに電圧を印加した場合において、電流検出回路１３４で検出された電流値を第１の電流値とする（Ｓ１０）。例えば、制御装置１３５は、インバータ１２６に駆動信号ＤＳを与えることにより、第１のＵ相スイッチング素子１２６Ｕａ及び第２のＶ相スイッチング素子１２６Ｖｂのみをオンにすることで、Ｕ相電力線１１３Ｕ及びＶ相電力線１１３Ｖのみに電圧を印加する。このとき、例えば、図２に示されているように、結線切換部１２８がＹ結線状態であるとすると、結線切換部１２８に異常がなければ、Ｕ相コイル１１２Ｕ及びＶ相コイル１１２Ｖに電流が流れる。このときの母線電流の電流値が第１の電流値として検出される。
【００４７】
次に、制御装置１３５は、Ｖ相電力線１１３Ｖ及びＷ相電力線１１３Ｗのみに電圧を印加した場合において、電流検出回路１３４で検出された電流値を第２の電流値とする（Ｓ１１）。例えば、制御装置１３５は、インバータ１２６に駆動信号ＤＳを与えることにより、第１のＶ相スイッチング素子１２６Ｖａ及び第２のＷ相スイッチング素子１２６Ｗｂのみをオンにすることで、Ｖ相電力線１１３Ｖ及びＷ相電力線１１３Ｗのみに電圧を印加する。このとき、例えば、図２に示されているように、結線切換部１２８がＹ結線状態であるとすると、結線切換部１２８に異常がなければ、Ｖ相コイル１１２Ｖ及びＷ相コイル１１２Ｗに電流が流れる。このときの母線電流の電流値が第２の電流値として検出される。
【００４８】
次に、制御装置１３５は、Ｗ相電力線１１３Ｗ及びＵ相電力線１１３Ｕのみに電圧を印加した場合において、電流検出回路１３４で検出された電流値を第３の電流値とする（Ｓ１２）。例えば、制御装置１３５は、インバータ１２６に駆動信号ＤＳを与えることにより、第１のＷ相スイッチング素子１２６Ｗａ及び第２のＵ相スイッチング素子１２６Ｕｂのみをオンにすることで、Ｗ相電力線１１３Ｗ及びＵ相電力線１１３Ｕのみに電圧を印加する。このとき、例えば、図２に示されているように、結線切換部１２８がＹ結線状態であるとすると、結線切換部１２８に異常がなければ、Ｗ相コイル１１２Ｗ及びＵ相コイル１１２Ｕに電流が流れる。このときの母線電流の電流値が第３の電流値として検出される。
【００４９】
そして、制御装置１３５は、第１の電流値、第２の電流値及び第３の電流値を比較することにより、結線切換部１２８の異常の有無を検出する（Ｓ１３）。
以下、図７〜図１０を用いて、制御装置１３５による結線切換部１２８の異常の有無の検出方法について説明する。
【００５０】
結線切換部１２８が図２に示されているようにＹ結線状態であり、結線切換部１２８に異常がない場合について、図７を用いて説明する。
ここで、図７に示されている記号について説明する。
記号ＵＰは、第１のＵ相スイッチング素子１２６Ｕａの駆動信号ＤＳを示し、記号ＶＰは、第１のＶ相スイッチング素子１２６Ｖａの駆動信号ＤＳを示し、記号ＷＰは、第１のＷ相スイッチング素子１２６Ｗａの駆動信号ＤＳを示す。
また、記号ＵＮは、第２のＵ相スイッチング素子１２６Ｕｂの駆動信号ＤＳを示し、記号ＶＮは、第２のＶ相スイッチング素子１２６Ｖｂの駆動信号ＤＳを示し、記号ＷＮは、第２のＷ相スイッチング素子１２６Ｗｂの駆動信号ＤＳを示す。
さらに、記号Ｉｕは、Ｕ相電力線１１３Ｕの電流値をインバータ１２６から電動機１１１に向かう方向を正の値として示し、記号Ｉｖは、Ｖ相電力線１１３Ｖの電流値をインバータ１２６から電動機１１１に向かう方向を正の値として示し、記号Ｉｗは、Ｗ相電力線１１３Ｗの電流値をインバータ１２６から電動機１１１に向かう方向を正の値として示す。
加えて、記号Ｉは、電流検出回路１３４で検出される母線電流の電流値を示す。
【００５１】
図７に示されているように、時間ｔ１で、第１のＵ相スイッチング素子１２６Ｕａをオンにし、第２のＶ相スイッチング素子１２６Ｖｂをオンにした場合には、Ｕ相コイル１１２Ｕ及びＶ相コイル１１２Ｖに電流が流れて、電流検出回路１３４でその電流が第１の電流値として検出される。
時間ｔ２で、第１のＶ相スイッチング素子１２６Ｖａをオンにし、第２のＷ相スイッチング素子１２６Ｗｂをオンにした場合には、Ｖ相コイル１１２Ｖ及びＷ相コイル１１２Ｗに電流が流れて、電流検出回路１３４でその電流が第２の電流値として検出される。
時間ｔ３で、第１のＷ相スイッチング素子１２６Ｗａをオンにし、第２のＵ相スイッチング素子１２６Ｕｂをオンにした場合には、Ｗ相コイル１１２Ｗ及びＵ相コイル１１２Ｕに電流が流れて、電流検出回路１３４でその電流が第３の電流値として検出される。
ここで、第１の電流値、第２の電流値及び第３の電流値は、ピーク値であってもよく、平均値であってもよい。
そして、図７に示されているように、結線切換部１２８に異常がない場合には、第１の電流値、第２の電流値及び第３の電流値は、ほぼ同様の値となる。
【００５２】
次に、結線切換部１２８が図２に示されているようにＹ結線状態であり、結線切換部１２８に異常がある第１の場合について、図８を用いて説明する。図８では、Ｕ相スイッチ１２９Ｕが開放故障を起こしている場合を示している。
ここで、図８に示されている記号は、図７と同様である。
【００５３】
図８に示されているように、時間ｔ４で、第１のＵ相スイッチング素子１２６Ｕａをオンにし、第２のＶ相スイッチング素子１２６Ｖｂをオンにした場合でも、Ｕ相スイッチ１２９Ｕが開放していると、Ｕ相コイル１１２Ｕ及びＶ相コイル１１２Ｖに電流は流れない。従って、電流検出回路１３４では、第１の電流値は検出されない。
時間ｔ５で、第１のＶ相スイッチング素子１２６Ｖａをオンにし、第２のＷ相スイッチング素子１２６Ｗｂをオンにした場合には、Ｖ相コイル１１２Ｖ及びＷ相コイル１１２Ｗに電流が流れて、電流検出回路１３４でその電流が第２の電流値として検出される。
時間ｔ６で、第１のＷ相スイッチング素子１２６Ｗａをオンにし、第２のＵ相スイッチング素子１２６Ｕｂをオンにした場合でも、Ｕ相スイッチ１２９Ｕが開放していると、Ｗ相コイル１１２Ｗ及びＵ相コイル１１２Ｕに電流は流れない。従って、電流検出回路１３４では、第３の電流値は検出されない。
従って、図８に示されているように、結線切換部１２８に開放故障がある場合には、第１の電流値、第２の電流値及び第３の電流値の何れか二つが検出されない。
【００５４】
次に、結線切換部１２８が図２に示されているようにＹ結線状態であり、結線切換部１２８に異常がある第２の場合について、図９を用いて説明する。図９では、図１０に示されているようにＵ相スイッチ１２９Ｕが第２の切換接点１３２Ｕ側に短絡故障を起こしている場合を示している。
ここで、図９に示されている記号は、図７と同様である。
【００５５】
図９に示されているように、時間ｔ７で、第１のＵ相スイッチング素子１２６Ｕａをオンにし、第２のＶ相スイッチング素子１２６Ｖｂをオンにした場合には、Ｕ相スイッチ１２９Ｕが第２の切換接点１３２Ｕ側に短絡していると、Ｕ相コイル１１２Ｕに電流は流れるが、Ｖ相コイル１１２Ｖには電流は流れない。従って、電流検出回路１３４では、Ｕ相コイル１１２Ｕにのみ電流が流れた場合の電流値が第１の電流値として検出される。
時間ｔ８で、第１のＶ相スイッチング素子１２６Ｖａをオンにし、第２のＷ相スイッチング素子１２６Ｗｂをオンにした場合には、Ｖ相コイル１１２Ｖ及びＷ相コイル１１２Ｗに電流が流れて、電流検出回路１３４でその電流が第２の電流値として検出される。
時間ｔ９で、第１のＷ相スイッチング素子１２６Ｗａをオンにし、第２のＵ相スイッチング素子１２６Ｕｂをオンにした場合には、Ｕ相スイッチ１２９Ｕが第２の切換接点１３２Ｕ側に短絡していると、Ｗ相コイル１１２Ｗ及びＵ相コイル１１２Ｕに電流が流れるとともに、Ｖ相コイル１１２Ｖにも電流が流れる。従って、電流検出回路１３４では、Ｕ相コイル１１２Ｕ、Ｖ相コイル１１２Ｖ及びＷ相コイル１１２Ｗに電流が流れた場合の電流値が第３の電流値として検出される。
従って、図９に示されているように、結線切換部１２８に短絡故障がある場合には、第１の電流値、第２の電流値及び第３の電流値の少なくとも１つが別の１つと異なった値として検出される。
【００５６】
以上のように、制御装置１３５は、第１の電流値、第２の電流値及び第３の電流値を比較することで、例えば、これらの差の絶対値が予め定められた閾値の範囲内にあれば、結線切換部１２８に異常がないと判断することができ、これらの差の絶対値が予め定められた閾値の範囲を超える場合又は電流値を検出することができない場合には、結線切換部１２８に異常があると判断することができる。
【００５７】
なお、図７〜図９では、インバータ１２６への駆動信号ＤＳをパルス信号としているが、例えば、駆動信号ＤＳを、デューティ比を固定したＰＷＭ信号とすることにより、電流検出回路１３４は、Ｕ相コイル１１２Ｕ、Ｖ相コイル１１２Ｖ及びＷ相コイル１１２Ｗのインダクタンスに依存せずに、抵抗に依存した電流値を検出することができる。この場合、第１の電流値、第２の電流値及び第３の電流値は、平均値であることが望ましい。
【００５８】
なお、図６に示されているフローチャートでは、Ｕ相電力線１１３ＵとＶ相電力線１１３Ｖとに電圧を印加して、第１の電流値を検出し、Ｖ相電力線１１３ＶとＷ相電力線１１３Ｗとに電圧を印加して、第２の電流値を検出し、Ｗ相電力線１１３ＷとＵ相電力線１１３Ｕとに電圧を印加して、第３の電流値を検出しているが、本実施の形態は、このような例に限定されない。例えば、Ｕ相電力線１１３Ｕ、Ｖ相電力線１１３Ｖ及びＷ相電力線１１３Ｗの何れか一つを第１の線とし、他の一つを第２の線とし、残りを第３の線とする。そして、インバータ１２６が第１の線及び第２の線のみに電圧を印加して、第１の電流値が検出され、インバータ１２６が第２の線及び第３の線のみに電圧を印加して、第２の電流値が検出され、インバータ１２６が第３の線及び第１の線のみに電圧を印加して、第３の電流値が検出されてもよい。
【００５９】
このような場合、第１の線に一端（１１２Ｕａ、１１２Ｖａ、１１２Ｗａ）が接続されているコイル（１１２Ｕ、１１２Ｖ、１１２Ｗ）が第１のコイルとなり、第２の線に一端（１１２Ｕａ、１１２Ｖａ、１１２Ｗａ）が接続されているコイル（１１２Ｕ、１１２Ｖ、１１２Ｗ）が第２のコイルとなり、第３の線に一端（１１２Ｕａ、１１２Ｖａ、１１２Ｗａ）が接続されているコイル（１１２Ｕ、１１２Ｖ、１１２Ｗ）が第３のコイルとなる。
また、第１のコイルの他端（１１２Ｕｂ、１１２Ｖｂ、１１２Ｗｂ）の接続先を切り換えるスイッチ（１２９Ｕ、１２９Ｖ、１２９Ｗ）が第１の切換部となり、第２のコイルの他端（１１２Ｕｂ、１１２Ｖｂ、１１２Ｗｂ）の接続先を切り換えるスイッチ（１２９Ｕ、１２９Ｖ、１２９Ｗ）が第２の切換部となり、第３のコイルの他端（１１２Ｕｂ、１１２Ｖｂ、１１２Ｗｂ）の接続先を切り換えるスイッチ（１２９Ｕ、１２９Ｖ、１２９Ｗ）が第３の切換部となる。
【００６０】
ここで、制御装置１３５は、結線切換部１２８の異常を検出した場合には、ユーザへの通知を行うとともに、故障モードに応じた対応を行うことができる。例えば、結線切換部１２８が開放故障している場合には、制御装置１３５は、空気調和機１００の運転を停止（中止）する。また、制御装置１３５は、結線切換部１２８がＹ結線側の切換接点で短絡故障している場合は、空気調和機１００をＹ結線で駆動する。さらに、制御装置１３５は、結線切換部１２８がΔ結線側の切換接点で短絡故障している場合は、空気調和機１００をΔ結線で駆動とする。このように駆動することで、空気調和機１００は、運転継続しつつサポートによる修理を待つことも可能である。
【００６１】
次に、制御装置１３５が異常検出シーケンスを行うタイミングについて説明する。
ここで、結線切換部１２８が故障した場合、異常な結線状態になり、過電流又は過剰な発熱等により他の回路も故障してしまうおそれがある。また、脱調状態に気づけず運転を継続した場合、圧縮機１１４ａがストールしてしまうおそれがある。
このため、制御装置１３５による異常検出シーケンスは、圧縮機１１４ａの起動する前に行われることが望ましい。
【００６２】
例えば、図１１に示されているように、リモコン１６０からの運転指示信号が室内機１５０に入力された場合（Ｔ００）、室内ファン１５１ｂの駆動が開始され（Ｔ０１）、室外機１１０の室外ファン１１４ｃの駆動が開始され（Ｔ０２）、室外機１１０の圧縮機１１４ａが駆動される（Ｔ０４）。このような場合、時間Ｔ０２と時間Ｔ０４との間の時間Ｔ０３において、制御装置１３５による異常検出シーケンスが行われることが望ましい。
なお、リモコン１６０は、ユーザから空気調和機１００の運転を開始する入力を受け付けると、室内機１５０に運転指示信号を送信する。
【００６３】
このようにすることで、圧縮機１１４ａの起動時間が長くなることを抑制することができる。なお、異常検出シーケンスは、圧縮機１１４ａの起動よりも前であれば、どのタイミングで実施されても問題ないが、騒音が検知されにくくするためには、室内ファン１５１ｂの駆動開始後に行われることが望ましく、さらに、室外ファン１１４ｃの駆動開始後に行われることがより望ましい。このようにすることで、異常検出シーケンスで発生する音をユニット駆動音の中で相対的に小さくすることができる。
【００６４】
また、図１２に示されているように、リモコン１６０からの運転指示信号が室内機１５０に入力され（Ｔ１０）、室内ファン１５１ｂの駆動が開始され（Ｔ１２）、室外機１１０の室外ファン１１４ｃの駆動が開始され（Ｔ１３）、室外機１１０の圧縮機１１４ａが駆動される（Ｔ１４）場合において、リモコン１６０からの運転指示信号が室内機１５０に入力された直後に、異常検出シーケンスが行われてもよい。即ち、リモコン１６０がユーザから空気調和機１００の運転を開始する入力を受け付けたことを契機として、異常検出シーケンスが行われてもよい。このようにすることで、ユーザがリモコン１６０又は室内機１５０に注視している内に、異常状態を検出して通知することができる。
【００６５】
以上のように、実施の形態１によれば、結線切換部１２８の異常を容易に検出することができる。
【００６６】
実施の形態２．
図１に示されているように、実施の形態２に係る空気調和機２００は、室外機２１０と、室内機１５０と、リモコン１６０とを備える。
実施の形態２に係る空気調和機２００の室内機１５０及びリモコン１６０は、実施の形態１の室内機１５０及びリモコン１６０と同様である。
【００６７】
図２に示されているように、実施の形態２に係る室外機２１０は、電動機１１１と、室外空調部１１４と、駆動装置２２０とを備える。
実施の形態２に係る室外機２１０の電動機１１１及び室外空調部１１４は、実施の形態１の電動機１１１及び室外空調部１１４と同様である。
【００６８】
実施の形態２における駆動装置２２０は、電源１２１と、リアクトル１２２と、コンバータ１２３と、インバータ１２６と、結線切換部１２８と、シャント抵抗１３３と、電流検出回路１３４と、制御装置２３５と、通信部１３６とを備える。
実施の形態２における駆動装置２２０は、制御装置２３５を除いて、実施の形態１における駆動装置１２０と同様である。
【００６９】
実施の形態２における制御装置２３５は、室外機２１０の各部を制御する制御部である。制御装置２３５は、特に、室外空調部１１４、インバータ１２６及び結線切換部１２８を制御する。
ここで、実施の形態２における制御装置２３５は、インバータ１２６及び結線切換部１２８を制御して、結線切換部１２８の異常を検出するシーケンスにおいて、実施の形態１における制御装置１３５と異なっている。
【００７０】
図１３は、実施の形態２における制御装置２３５による異常検出シーケンスを示すフローチャートである。
【００７１】
まず、制御装置２３５は、結線切換部１２８をＹ結線状態にして、Ｕ相電力線１１３Ｕ及びＶ相電力線１１３Ｖのみに電圧を印加した場合において、電流検出回路１３４で検出された電流値を第１の電流値とする（Ｓ２０）。
【００７２】
次に、制御装置２３５は、結線切換部１２８のＵ相スイッチ１２９Ｕを第２の切換接点１３２Ｕ側に切り換えさせて、Ｕ相電力線１１３Ｕ及びＶ相電力線１１３Ｖのみに電圧を印加した場合において、電流検出回路１３４で検出された電流値を第２の電流値とする（Ｓ２１）。
例えば、制御装置２３５は、Ｕ相制御線１３５Ｕを介して、結線切換部１２８にＵ相切換信号ＣＳＵを送信することで、Ｕ相スイッチ１２９Ｕを第２の切換接点１３２Ｕ側に切り換えさせる。そして、制御装置２３５は、インバータ１２６に駆動信号ＤＳを与えることにより、第１のＵ相スイッチング素子１２６Ｕａ及び第２のＶ相スイッチング素子１２６Ｖｂのみをオンにすることで、Ｕ相電力線１１３Ｕ及びＶ相電力線１１３Ｖのみに電圧を印加する。
【００７３】
そして、制御装置２３５は、第１の電流値と第２の電流値とを比較することで、Ｕ相スイッチ１２９Ｕの異常の有無を判断する（Ｓ２２）。
ステップＳ２０では、Ｕ相スイッチ１２９Ｕに異常がなければ、Ｕ相コイル１１２Ｕ及びＶ相コイル１１２Ｖに電流が流れる。一方、ステップＳ２１では、Ｕ相スイッチ１２９Ｕに異常がなければ、Ｕ相コイル１１２Ｕに電流が流れる。このため、第１の電流値は、第２の電流値の約半分になるはずである。従って、制御装置２３５は、第１の電流値と第２の電流値とが異なる値となっている場合には、Ｕ相スイッチ１２９Ｕに異常がないと判断することができる。なお、制御装置２３５は、第１の電流値と第２の電流値とが異なる値となっていることを、両者の差の絶対値が予め定められた閾値を超えているか否かにより判断することができる。
【００７４】
次に、制御装置２３５は、結線切換部１２８をＹ結線状態にして、Ｖ相電力線１１３Ｖ及びＷ相電力線１１３Ｗのみに電圧を印加した場合において、電流検出回路１３４で検出された電流値を第３の電流値とする（Ｓ２３）。
【００７５】
次に、制御装置２３５は、結線切換部１２８のＶ相スイッチ１２９Ｖを第２の切換接点１３２Ｖ側に切り換えさせて、Ｖ相電力線１１３Ｖ及びＷ相電力線１１３Ｗのみに電圧を印加した場合において、電流検出回路１３４で検出された電流値を第４の電流値とする（Ｓ２４）。
例えば、制御装置２３５は、Ｖ相制御線１３５Ｖを介して、結線切換部１２８にＶ相切換信号ＣＳＶを送信することで、Ｖ相スイッチ１２９Ｖを第２の切換接点１３２Ｖに切り換えさせる。そして、制御装置２３５は、インバータ１２６に駆動信号ＤＳを与えることにより、第１のＶ相スイッチング素子１２６Ｖａ及び第２のＷ相スイッチング素子１２６Ｗｂのみをオンにすることで、Ｖ相電力線１１３Ｖ及びＷ相電力線１１３Ｗのみに電圧を印加する。
【００７６】
そして、制御装置２３５は、第３の電流値と第４の電流値とを比較することで、Ｖ相スイッチ１２９Ｖの異常の有無を判断する（Ｓ２５）。
ステップＳ２３では、Ｖ相スイッチ１２９Ｖに異常がなければ、Ｖ相コイル１１２Ｖ及びＷ相コイル１１２Ｗに電流が流れる。一方、ステップＳ２５では、Ｖ相スイッチ１２９Ｖに異常がなければ、Ｖ相コイル１１２Ｖに電流が流れる。従って、制御装置２３５は、第３の電流値と第４の電流値とが異なる値となっている場合には、Ｖ相スイッチ１２９Ｖに異常がないと判断することができる。この判断の仕方は、ステップＳ２２と同様である。
【００７７】
次に、制御装置２３５は、結線切換部１２８をＹ結線状態にして、Ｗ相電力線１１３Ｗ及びＵ相電力線１１３Ｕのみに電圧を印加した場合において、電流検出回路１３４で検出された電流値を第５の電流値とする（Ｓ２６）。
【００７８】
次に、制御装置２３５は、結線切換部１２８のＷ相スイッチ１２９Ｗを第２の切換接点１３２Ｗ側に切り換えさせて、Ｗ相電力線１１３Ｗ及びＵ相電力線１１３Ｕのみに電圧を印加して、電流検出回路１３４で検出された電流値を第６の電流値とする（Ｓ２７）。
例えば、制御装置２３５は、Ｗ相制御線１３５Ｗを介して、結線切換部１２８にＷ相切換信号ＣＳＷを送信することで、Ｗ相スイッチ１２９Ｗを第２の切換接点１３２Ｗ側に切り換えさせる。そして、制御装置２３５は、インバータ１２６に駆動信号ＤＳを与えることにより、第１のＷ相スイッチング素子１２６Ｗａ及び第２のＵ相スイッチング素子１２６Ｕｂのみをオンにすることで、Ｗ相電力線１１３Ｗ及びＵ相電力線１１３Ｕのみに電圧を印加する。
【００７９】
そして、制御装置２３５は、第５の電流値と第６の電流値とを比較することで、Ｗ相スイッチ１２９Ｗの異常の有無を判断する（Ｓ２８）。
ステップＳ２６では、Ｗ相スイッチ１２９Ｗに異常がなければ、Ｗ相コイル１１２Ｗ及びＵ相コイル１１２Ｕに電流が流れる。一方、ステップＳ２７では、Ｗ相スイッチ１２９Ｗに異常がなければ、Ｗ相コイル１１２Ｗに電流が流れる。従って、制御装置２３５は、第５の電流値と第６の電流値とが異なる値となっている場合には、Ｗ相スイッチ１２９Ｗに異常がないと判断することができる。この判断の仕方は、ステップＳ２２と同様である。
【００８０】
なお、図１３に示されているフローチャートでは、Ｕ相電力線１１３ＵとＶ相電力線１１３Ｖとに電圧を印加して、第１の電流値及び第２の電流値を検出し、Ｖ相電力線１１３ＶとＷ相電力線１１３Ｗとに電圧を印加して、第３の電流値及び第４の電流値を検出し、Ｗ相電力線１１３ＷとＵ相電力線１１３Ｕとに電圧を印加して、第５の電流値及び第６の電流値を検出しているが、本実施の形態は、このような例に限定されない。例えば、Ｕ相電力線１１３Ｕ、Ｖ相電力線１１３Ｖ及びＷ相電力線１１３Ｗの何れか一つを第１の線とし、他の一つを第２の線とし、残りを第３の線とする。そして、インバータ１２６が第１の線及び第２の線のみに電圧を印加して、第１の電流値及び第２の電流値が検出され、インバータ１２６が第２の線及び第３の線のみに電圧を印加して、第３の電流値及び第４の電流値が検出され、インバータ１２６が第３の線及び第２の線のみに電圧を印加して、第５の電流値及び第６の電流値が検出されてもよい。
【００８１】
このような場合、第１の線に一端（１１２Ｕａ、１１２Ｖａ、１１２Ｗａ）が接続されているコイル（１１２Ｕ、１１２Ｖ、１１２Ｗ）が第１のコイルとなり、第２の線に一端（１１２Ｕａ、１１２Ｖａ、１１２Ｗａ）が接続されているコイル（１１２Ｕ、１１２Ｖ、１１２Ｗ）が第２のコイルとなり、第３の線に一端（１１２Ｕａ、１１２Ｖａ、１１２Ｗａ）が接続されているコイル（１１２Ｕ、１１２Ｖ、１１２Ｗ）が第３のコイルとなる。
また、第１のコイルの他端（１１２Ｕｂ、１１２Ｖｂ、１１２Ｗｂ）の接続先を切り換えるスイッチ（１２９Ｕ、１２９Ｖ、１２９Ｗ）が第１の切換部となり、第２のコイルの他端（１１２Ｕｂ、１１２Ｖｂ、１１２Ｗｂ）の接続先を切り換えるスイッチ（１２９Ｕ、１２９Ｖ、１２９Ｗ）が第２の切換部となり、第３のコイルの他端（１１２Ｕｂ、１１２Ｖｂ、１１２Ｗｂ）の接続先を切り換えるスイッチ（１２９Ｕ、１２９Ｖ、１２９Ｗ）が第３の切換部となる。
【００８２】
以上のように、実施の形態２によれば、より正確に、結線切換部１２８の異常を検出することができる。
【００８３】
本発明は、以上の実施の形態１及び２に限定されるものではない。
例えば、実施の形態１では、Ｙ結線状態及びΔ結線状態の何れか一方で図６に示されているフローを行っているが、例えば、Ｙ結線状態及びΔ結線状態の何れか一方で図６に示されているフローを行い、異常が検出された場合に、他方で図６に示されているフローを行うことで、より正確に結線切換部１２８の異常を検出することができる。
他方で図６に示されているフローが行われた場合、ステップＳ１０で検出される電流値を第４の電流値、ステップＳ１１で検出される電流値を第５の電流値、及び、ステップＳ１２で検出される電流値を第６の電流値とする。
また、この場合図６のステップＳ１３で用いる閾値として第１の閾値及び第２の閾値（第１の閾値＜第２の閾値）を用意しておき、制御装置１３５は、差の絶対値が第１の閾値の範囲内である場合には、結線切換部１２８が正常であると判断し、差の絶対値が第２の閾値を超えた場合には、結線切換部１２８に異常があると判断し、差の絶対値が第１の閾値を超えて第２の閾値以下である場合に、他方の状態で図６に示されているフロー行うこともできる。
【００８４】
また、図６に示されているフローで異常が検出された場合に、図１３に示されているフローが行われてもよい。
【００８５】
実施の形態３．
図１に示されているように、実施の形態３に係る空気調和機３００は、室外機３１０と、室内機１５０と、リモコン１６０とを備える。
実施の形態３に係る空気調和機３００の室内機１５０及びリモコン１６０は、実施の形態１の室内機１５０及びリモコン１６０と同様である。
【００８６】
図２に示されているように、実施の形態３に係る室外機３１０は、電動機１１１と、室外空調部１１４と、駆動装置３２０とを備える。
実施の形態３に係る室外機３１０の電動機１１１及び室外空調部１１４は、実施の形態１の電動機１１１及び室外空調部１１４と同様である。
【００８７】
実施の形態３における駆動装置３２０は、電源１２１と、リアクトル１２２と、コンバータ１２３と、インバータ１２６と、結線切換部１２８と、シャント抵抗１３３と、電流検出回路１３４と、制御装置３３５と、通信部１３６とを備える。
実施の形態３における駆動装置３２０は、制御装置３３５を除いて、実施の形態１における駆動装置１２０と同様である。
【００８８】
実施の形態３における制御装置３３５は、室外機３１０の各部を制御する制御部である。制御装置３３５は、特に、室外空調部１１４、インバータ１２６及び結線切換部１２８を制御する。
ここで、実施の形態３における制御装置３３５は、インバータ１２６及び結線切換部１２８を制御して、結線切換部１２８の異常を検出するシーケンスにおいて、実施の形態１における制御装置１３５と異なっている。
【００８９】
図１４は、実施の形態３における制御装置３３５による異常検出シーケンスを示すフローチャートである。
ここでは、結線切換部１２８は、Ｙ結線状態又はΔ結線状態になっているものとする。
【００９０】
まず、制御装置３３５は、Ｕ相電力線１１３ＵからＶ相電力線１１３Ｖ及びＷ相電力線１１３Ｗへの方向にのみ電流を流すように電圧を印加した場合において、電流検出回路１３４で検出された電流値を第１の電流値とする（Ｓ３０）。例えば、制御装置３３５は、インバータ１２６に駆動信号ＤＳを与えることにより、第１のＵ相スイッチング素子１２６Ｕａ、第２のＶ相スイッチング素子１２６Ｖｂ及び第２のＷ相スイッチング素子１２６Ｗｂのみをオンにすることで、Ｕ相電力線１１３ＵからＶ相電力線１１３Ｖ及びＷ相電力線１１３Ｗへの方向にのみ電流を流すように電圧を印加する。このとき、例えば、図２に示されているように、結線切換部１２８がＹ結線状態であるとすると、結線切換部１２８に異常がなければ、Ｕ相コイル１１２Ｕ、Ｖ相コイル１１２Ｖ及びＷ相コイル１１２Ｗに電流が流れる。このときの母線電流の電流値が第１の電流値として検出される。
【００９１】
次に、制御装置３３５は、Ｖ相電力線１１３ＶからＵ相電力線１１３Ｕ及びＷ相電力線１１３Ｗへの方向にのみ電流を流すように電圧を印加した場合において、電流検出回路１３４で検出された電流値を第２の電流値とする（Ｓ３１）。例えば、制御装置３３５は、インバータ１２６に駆動信号ＤＳを与えることにより、第１のＶ相スイッチング素子１２６Ｖａ、第２のＵ相スイッチング素子１２６Ｕｂ及び第２のＷ相スイッチング素子１２６Ｗｂのみをオンにすることで、Ｖ相電力線１１３ＶからＵ相電力線１１３Ｕ及びＷ相電力線１１３Ｗへの方向にのみ電流を流すように電圧を印加する。このとき、例えば、図２に示されているように、結線切換部１２８がＹ結線状態であるとすると、結線切換部１２８に異常がなければ、Ｕ相コイル１１２Ｕ、Ｖ相コイル１１２Ｖ及びＷ相コイル１１２Ｗに電流が流れる。このときの母線電流の電流値が第２の電流値として検出される。
【００９２】
次に、制御装置３３５は、Ｗ相電力線１１３ＷからＵ相電力線１１３Ｕ及びＶ相電力線１１３Ｖへの方向にのみ電流を流すように電圧を印加した場合において、電流検出回路１３４で検出された電流値を第３の電流値とする（Ｓ３２）。例えば、制御装置３３５は、インバータ１２６に駆動信号ＤＳを与えることにより、第１のＷ相スイッチング素子１２６Ｗａ、第２のＵ相スイッチング素子１２６Ｕｂ及び第２のＶ相スイッチング素子１２６Ｖｂのみをオンにすることで、Ｗ相電力線１１３ＷからＵ相電力線１１３Ｕ及びＶ相電力線１１３Ｖへの方向にのみ電流を流すように電圧を印加する。このとき、例えば、図２に示されているように、結線切換部１２８がＹ結線状態であるとすると、結線切換部１２８に異常がなければ、Ｕ相コイル１１２Ｕ、Ｖ相コイル１１２Ｖ及びＷ相コイル１１２Ｗに電流が流れる。このときの母線電流の電流値が第３の電流値として検出される。
【００９３】
そして、制御装置３３５は、第１の電流値、第２の電流値及び第３の電流値を比較することにより、結線切換部１２８の異常の有無を検出する（Ｓ３３）。ここでの比較に仕方については、実施の形態１と同様である。
【００９４】
例えば、図２に示されているように、結線切換部１２８がＹ結線状態であるとすると、結線切換部１２８に異常がなければ、第１の電流値、第２の電流値及び第３の電流値は、同じ値（正常値）となる。
ここで、例えば、Ｕ相スイッチ１２９Ｕが開放故障を起こしている場合には、ステップＳ３０では、Ｕ相コイル１１２Ｕ、Ｖ相コイル１１２Ｖ及びＷ相コイル１１２Ｗに電流は流れない。従って、電流検出回路１３４では、第１の電流値は検出されない。また、Ｕ相スイッチ１２９Ｕが開放故障を起こしている場合には、ステップＳ３１では、Ｖ相コイル１１２Ｖ及びＷ相コイル１１２Ｗに電流は流れるが、Ｕ相コイル１１２Ｕには電流は流れない。そして、第２の電流値は、正常値の３／４の値となる。さらに、Ｕ相スイッチ１２９Ｕが開放故障を起こしている場合には、ステップＳ３２では、Ｖ相コイル１１２Ｖ及びＷ相コイル１１２Ｗに電流は流れるが、Ｕ相コイル１１２Ｕには電流は流れない。そして、第３の電流値は、正常値の３／４の値となる。
【００９５】
また、例えば、Ｕ相スイッチ１２９Ｕが第２の切換接点１３２Ｕ側に短絡故障を起こしている場合には、ステップＳ３０では、Ｕ相コイル１１２Ｕに電流は流れるが、Ｖ相コイル１１２Ｖ及びＷ相コイル１１２Ｗにはほとんど電流は流れない。そして、第１の電流値は、正常値の３／２の値となる。また、Ｕ相スイッチ１２９Ｕが第２の切換接点１３２Ｕ側に短絡故障を起こしている場合には、ステップＳ３１では、Ｖ相電力線１１３Ｖ及びＵ相電力線１１３Ｕの間には、Ｕ相コイル１１２Ｕのみが存在し、Ｖ相電力線１１３Ｖ及びＷ相電力線１１３Ｗの間には、Ｖ相コイル１１２Ｖ及びＷ相コイル１１２Ｗのみが存在するようになる。このため、第２の電流値は、正常値の９／４の値となる。さらに、Ｕ相スイッチ１２９Ｕが第２の切換接点１３２Ｕ側に短絡故障を起こしている場合には、ステップＳ３２では、Ｖ相コイル１１２Ｖ及びＷ相コイル１１２Ｗのみに電流が流れる。そして、第３の電流値は、正常値の３／４の値となる。
【００９６】
以上のように、制御装置３３５は、第１の電流値、第２の電流値及び第３の電流値を比較することで、例えば、これらの差の絶対値が予め定められた閾値の範囲内にあれば、結線切換部１２８に異常がないと判断することができ、これらの差の絶対値が予め定められた閾値の範囲を超える場合又は電流値を検出することができない場合には、結線切換部１２８に異常があると判断することができる。
【００９７】
なお、図１４に示されているフローチャートでは、Ｕ相電力線１１３ＵからＶ相電力線１１３Ｖ及びＷ相電力線１１３Ｗへの方向にのみ電流を流すように電圧を印加して、第１の電流値を検出し、Ｖ相電力線１１３ＶからＵ相電力線１１３Ｕ及びＷ相電力線１１３Ｗへの方向にのみ電流を流すように電圧を印加して、第２の電流値を検出し、Ｗ相電力線１１３ＷからＵ相電力線１１３Ｕ及びＶ相電力線１１３Ｖへの方向にのみ電流を流すように電圧を印加して、第３の電流値を検出しているが、本実施の形態は、このような例に限定されない。例えば、Ｕ相電力線１１３Ｕ、Ｖ相電力線１１３Ｖ及びＷ相電力線１１３Ｗの何れか一つを第１の線とし、他の一つを第２の線とし、残りを第３の線とする。そして、インバータ１２６が第１の線から第２の線及び第３の線への第１の方向にのみ電流を流すように電圧を印加して、第１の電流値が検出され、インバータ１２６が第２の線から第１の線及び第３の線への第２の方向にのみ電流を流すように電圧を印加して、第２の電流値が検出され、インバータ１２６が第３の線から第１の線及び第２の線への第３の方向にのみ電流を流すように電圧を印加して、第３の電流値が検出されてもよい。
【００９８】
さらに、例えば、インバータ１２６が第１の線及び第２の線から第３の線への第１の方向にのみ電流を流すように電圧を印加して、第１の電流値が検出され、インバータ１２６が第２の線及び第３の線から第１の線への第２の方向にのみ電流を流すように電圧を印加して、第２の電流値が検出され、インバータ１２６が第１の線及び第３の線から第２の線への第３の方向にのみ電流を流すように電圧を印加して、第３の電流値が検出されてもよい。
【００９９】
これらの場合、第１の線に一端（１１２Ｕａ、１１２Ｖａ、１１２Ｗａ）が接続されているコイル（１１２Ｕ、１１２Ｖ、１１２Ｗ）が第１のコイルとなり、第２の線に一端（１１２Ｕａ、１１２Ｖａ、１１２Ｗａ）が接続されているコイル（１１２Ｕ、１１２Ｖ、１１２Ｗ）が第２のコイルとなり、第３の線に一端（１１２Ｕａ、１１２Ｖａ、１１２Ｗａ）が接続されているコイル（１１２Ｕ、１１２Ｖ、１１２Ｗ）が第３のコイルとなる。
また、第１のコイルの他端（１１２Ｕｂ、１１２Ｖｂ、１１２Ｗｂ）の接続先を切り換えるスイッチ（１２９Ｕ、１２９Ｖ、１２９Ｗ）が第１の切換部となり、第２のコイルの他端（１１２Ｕｂ、１１２Ｖｂ、１１２Ｗｂ）の接続先を切り換えるスイッチ（１２９Ｕ、１２９Ｖ、１２９Ｗ）が第２の切換部となり、第３のコイルの他端（１１２Ｕｂ、１１２Ｖｂ、１１２Ｗｂ）の接続先を切り換えるスイッチ（１２９Ｕ、１２９Ｖ、１２９Ｗ）が第３の切換部となる。
【０１００】
実施の形態４．
図１に示されているように、実施の形態４に係る空気調和機４００は、室外機４１０と、室内機１５０と、リモコン１６０とを備える。
実施の形態４に係る空気調和機４００の室内機１５０及びリモコン１６０は、実施の形態１の室内機１５０及びリモコン１６０と同様である。
【０１０１】
図２に示されているように、実施の形態４に係る室外機４１０は、電動機１１１と、室外空調部１１４と、駆動装置４２０とを備える。
実施の形態４に係る室外機４１０の電動機１１１及び室外空調部１１４は、実施の形態１の電動機１１１及び室外空調部１１４と同様である。
【０１０２】
実施の形態４における駆動装置４２０は、電源１２１と、リアクトル１２２と、コンバータ１２３と、インバータ１２６と、結線切換部１２８と、シャント抵抗１３３と、電流検出回路１３４と、制御装置４３５と、通信部１３６とを備える。
実施の形態４における駆動装置４２０は、制御装置４３５を除いて、実施の形態１における駆動装置１２０と同様である。
【０１０３】
実施の形態４における制御装置４３５は、室外機４１０の各部を制御する制御部である。制御装置４３５は、特に、室外空調部１１４、インバータ１２６及び結線切換部１２８を制御する。
ここで、実施の形態４における制御装置４３５は、インバータ１２６及び結線切換部１２８を制御して、結線切換部１２８の異常を検出するシーケンスにおいて、実施の形態１における制御装置１３５と異なっている。
【０１０４】
図１５は、実施の形態４における制御装置４３５による異常検出シーケンスを示すフローチャートである。
【０１０５】
まず、制御装置４３５は、結線切換部１２８をＹ結線状態にして、Ｕ相電力線１１３ＵからＶ相電力線１１３Ｖ及びＷ相電力線１１３Ｗへの方向にのみ電流を流すように電圧を印加した場合において、電流検出回路１３４で検出された電流値を第１の電流値とする（Ｓ４０）。
【０１０６】
次に、制御装置４３５は、結線切換部１２８のＵ相スイッチ１２９Ｕを第２の切換接点１３２Ｕ側に切り換えさせて、Ｕ相電力線１１３ＵからＶ相電力線１１３Ｖ及びＷ相電力線１１３Ｗへの方向にのみ電流を流すように電圧を印加した場合において、電流検出回路１３４で検出された電流値を第２の電流値とする（Ｓ４１）。
【０１０７】
そして、制御装置４３５は、第１の電流値と第２の電流値とを比較することで、Ｕ相スイッチ１２９Ｕの異常の有無を判断する（Ｓ４２）。例えば、制御装置４３５は、第１の電流値と第２の電流値とが異なる値となっている場合には、Ｕ相スイッチ１２９Ｕに異常がないと判断することができる。なお、制御装置４３５は、第１の電流値と第２の電流値とが異なる値となっていることを、両者の差の絶対値が予め定められた閾値を超えているか否かにより判断することができる。
【０１０８】
次に、制御装置４３５は、結線切換部１２８をＹ結線状態にして、Ｖ相電力線１１３ＶからＵ相電力線１１３Ｕ及びＷ相電力線１１３Ｗへの方向にのみ電流を流すように電圧を印加した場合において、電流検出回路１３４で検出された電流値を第３の電流値とする（Ｓ４３）。
【０１０９】
次に、制御装置４３５は、結線切換部１２８のＶ相スイッチ１２９Ｖを第２の切換接点１３２Ｖ側に切り換えさせて、Ｖ相電力線１１３ＶからＵ相電力線１１３Ｕ及びＷ相電力線１１３Ｗへの方向にのみ電流を流すように電圧を印加した場合において、電流検出回路１３４で検出された電流値を第４の電流値とする（Ｓ４４）。
【０１１０】
そして、制御装置４３５は、第３の電流値と第４の電流値とを比較することで、Ｖ相スイッチ１２９Ｖの異常の有無を判断する（Ｓ４５）。例えば、制御装置４３５は、第３の電流値と第４の電流値とが異なる値となっている場合には、Ｖ相スイッチ１２９Ｖに異常がないと判断することができる。この判断の仕方は、ステップＳ４２と同様である。
【０１１１】
次に、制御装置４３５は、結線切換部１２８をＹ結線状態にして、Ｗ相電力線１１３ＷからＵ相電力線１１３Ｕ及びＶ相電力線１１３Ｖへの方向にのみ電流を流すように電圧を印加した場合において、電流検出回路１３４で検出された電流値を第５の電流値とする（Ｓ４６）。
【０１１２】
次に、制御装置４３５は、結線切換部１２８のＷ相スイッチ１２９Ｗを第２の切換接点１３２Ｗ側に切り換えさせて、Ｗ相電力線１１３ＷからＵ相電力線１１３Ｕ及びＶ相電力線１１３Ｖへの方向にのみ電流を流すように電圧を印加して、電流検出回路１３４で検出された電流値を第６の電流値とする（Ｓ４７）。
【０１１３】
そして、制御装置４３５は、第５の電流値と第６の電流値とを比較することで、Ｗ相スイッチ１２９Ｗの異常の有無を判断する（Ｓ４８）。例えば、制御装置４３５は、第５の電流値と第６の電流値とが異なる値となっている場合には、Ｗ相スイッチ１２９Ｗに異常がないと判断することができる。この判断の仕方は、ステップＳ４２と同様である。
【０１１４】
なお、図１５に示されているフローチャートでは、Ｕ相電力線１１３ＵからＶ相電力線１１３Ｖ及びＷ相電力線１１３Ｗへの方向にのみ電流を流すように電圧を印加して、第１の電流値及び第２の電流値を検出し、Ｖ相電力線１１３ＶからＵ相電力線１１３Ｕ及びＷ相電力線１１３Ｗへの方向にのみ電流を流すように電圧を印加して、第３の電流値及び第４の電流値を検出し、Ｗ相電力線１１３ＷからＵ相電力線１１３Ｕ及びＶ相電力線１１３Ｖへの方向にのみ電流を流すように電圧を印加して、第５の電流値及び第６の電流値を検出しているが、本実施の形態は、このような例に限定されない。例えば、Ｕ相電力線１１３Ｕ、Ｖ相電力線１１３Ｖ及びＷ相電力線１１３Ｗの何れか一つを第１の線とし、他の一つを第２の線とし、残りを第３の線とする。そして、インバータ１２６が第１の線から第２の線及び第３の線への第１の方向にのみ電流を流すように電圧を印加して、第１の電流値及び第２の電流値が検出され、インバータ１２６が第２の線から第１の線及び第３の線への第２の方向にのみ電流を流すように電圧を印加して、第３の電流値及び第４の電流値が検出され、インバータ１２６が第３の線から第１の線及び第２の線への第３の方向にのみ電流を流すように電圧を印加して、第５の電流値及び第６の電流値が検出されてもよい。
【０１１５】
また、例えば、インバータ１２６が第１の線及び第２の線から第３の線への第１の方向にのみ電流を流すように電圧を印加して、第１の電流値及び第２の電流値が検出され、インバータ１２６が第２の線及び第３の線から第１の線への第２の方向にのみ電流を流すように電圧を印加して、第３の電流値及び第４の電流値が検出され、インバータ１２６が第１の線及び第３の線から第２の線への第３の方向にのみ電流を流すように電圧を印加して、第５の電流値及び第６の電流値が検出されてもよい。
【０１１６】
これらのような場合、第１の線に一端（１１２Ｕａ、１１２Ｖａ、１１２Ｗａ）が接続されているコイル（１１２Ｕ、１１２Ｖ、１１２Ｗ）が第１のコイルとなり、第２の線に一端（１１２Ｕａ、１１２Ｖａ、１１２Ｗａ）が接続されているコイル（１１２Ｕ、１１２Ｖ、１１２Ｗ）が第２のコイルとなり、第３の線に一端（１１２Ｕａ、１１２Ｖａ、１１２Ｗａ）が接続されているコイル（１１２Ｕ、１１２Ｖ、１１２Ｗ）が第３のコイルとなる。
また、第１のコイルの他端（１１２Ｕｂ、１１２Ｖｂ、１１２Ｗｂ）の接続先を切り換えるスイッチ（１２９Ｕ、１２９Ｖ、１２９Ｗ）が第１の切換部となり、第２のコイルの他端（１１２Ｕｂ、１１２Ｖｂ、１１２Ｗｂ）の接続先を切り換えるスイッチ（１２９Ｕ、１２９Ｖ、１２９Ｗ）が第２の切換部となり、第３のコイルの他端（１１２Ｕｂ、１１２Ｖｂ、１１２Ｗｂ）の接続先を切り換えるスイッチ（１２９Ｕ、１２９Ｖ、１２９Ｗ）が第３の切換部となる。
【０１１７】
本発明は、以上の実施の形態３及び４に限定されるものではない。
例えば、実施の形態３では、Ｙ結線状態及びΔ結線状態の何れか一方で図１４に示されているフローを行っているが、例えば、Ｙ結線状態及びΔ結線状態の何れか一方で図１４に示されているフローを行い、異常が検出された場合に、他方で図１４に示されているフローを行うことで、より正確に結線切換部１２８の異常を検出することができる。
他方で図１４に示されているフローが行われた場合、ステップＳ３０で検出される電流値を第４の電流値、ステップＳ３１で検出される電流値を第５の電流値、及び、ステップＳ３２で検出される電流値を第６の電流値とする。
また、この場合、図１４のステップＳ３３で用いる閾値として第１の閾値及び第２の閾値（第１の閾値＜第２の閾値）を用意しておき、制御装置３３５は、差の絶対値が第１の閾値の範囲内である場合には、結線切換部１２８が正常であると判断し、差の絶対値が第２の閾値を超えた場合には、結線切換部１２８に異常があると判断し、差の絶対値が第１の閾値を超えて第２の閾値以下である場合に、他方の状態で図１４に示されているフロー行うこともできる。
【０１１８】
また、図１４に示されているフローで異常が検出された場合に、図１５に示されているフローが行われてもよい。
【０１１９】
以上のように、実施の形態１〜４によれば、電流検出回路１３４で検出された電流値に基づいて、容易に結線切換部１２８の異常を検出することができる。
【０１２０】
また、圧縮機１１４ａが駆動する前に、異常検出シーケンスを行うことで、圧縮機１１４ａのストール等の空気調和機１００、２００の故障を防止することができる。
【０１２１】
また、室内ファン１５１ｂの駆動後に、異常検出シーケンスを行うことで、異常検出シーケンス時に発生する音を室内ファン１５１ｂの音でかき消すことができるため、室内にいるユーザが違和感を受けることがなくなる。
【０１２２】
また、室外ファン１１４ｃの駆動後に、異常検出シーケンスを行うことで、異常検出シーケンス時に室外で発生する音を室外の室外ファン１１４ｃの音でかき消すことができるため、室内にいるユーザが違和感を受けることがなくなる。
【０１２３】
また、リモコン１６０が運転開始の入力を受け付けたことを契機として、異常検出シーケンスを行うことで、リモコン１６０の操作後すぐに異常の通知を行うことができるため、確実にユーザにこのような通知を行うことができる。
このような場合、室内ファン１５１ｂの駆動前に、異常検出シーケンスが行われることで、異常発生時に、より確実にユーザに通知を行うことができる。
【０１２４】
実施の形態１によれば、第１の結線状態又は第２の結線状態において検出される複数の電流値を比較すればよいため、結線切換部１２８の異常を容易に検出することができる。
さらに、例えば、空気調和機１００の電源がオフとなっている際の結線切換部１２８が第１の結線状態及び第２の結線状態の何れか一方である場合には、その一方の状態において、異常検出シーケンスを行うことで、結線切換部１２８を動作させずに、結線切換部１２８の異常を検出することができる。このため、切り換え動作による無駄な電力の消費を抑えることができるともに、結線切換部１２８の動作回数の増加による寿命の短縮化を抑えることができる。
【０１２５】
また、第１の結線状態及び第２の結線状態の何れか一方で行われた異常検出シーケンスで異常が検出された場合に、その他方で異常検出シーケンスを行うことで、より確実に結線切換部１２８の異常を検出することができる。
【０１２６】
また、Ｕ相スイッチ１２９Ｕ、Ｖ相スイッチ１２９Ｖ及びＷ相スイッチ１２９Ｗは、個別に動作することができるため、全てのスイッチを同時に動作させる場合に比べて、切換動作に必要な電源容量を抑制することが可能となり、少容量の電源回路で構成することができる。これにより、電源回路の大容量化によるコストアップを抑制することができる。さらに、これらのスイッチを個別に動作させることで、より正確に、故障の発生箇所を検出することができる。
【０１２７】
また、Ｕ相スイッチ１２９Ｕ、Ｖ相スイッチ１２９Ｖ又はＷ相スイッチ１２９Ｗの切り換え前と、切り換え後とで、検出される電流値に基づいて異常の検出を行うことで、より確実に異常の有無を検出することができる。
【０１２８】
Ｕ相スイッチ１２９Ｕ、Ｖ相スイッチ１２９Ｖ及びＷ相スイッチ１２９Ｗとして、半導体スイッチ、特に、ＷＢＧ半導体を用いたスイッチング素子を用いることで、オン抵抗が小さく，低損失で素子発熱も抑制することができる。
【符号の説明】
【０１２９】
１００，２００，３００，４００  空気調和機、  １１０，２１０，３１０，４１０  室外機、  １１１  電動機、  １１２Ｕ  Ｕ相コイル、  １１２Ｖ  Ｖ相コイル、  １１２Ｗ  Ｗ相コイル、  １１３Ｕ  Ｕ相電力線、  １１３Ｖ  Ｖ相電力線、  １１３Ｗ  Ｗ相電力線、  １１４  室外空調部、  １１４ａ  圧縮機、  １１４ｂ  室外熱交換器、  １１４ｃ  室外ファン、  １２０，２２０，３２０，４２０  駆動装置、  １２１  電源、  １２２  リアクトル、  １２３  コンバータ、  １２６  インバータ、  １２８  結線切換部、  １２９Ｕ  Ｕ相スイッチ、  １２９Ｖ  Ｖ相スイッチ、  １２９Ｗ  Ｗ相スイッチ、  １３４  電流検出回路、  １３５，２３５，３３５，４３５  制御装置、  １３６  通信部、  １５０  室内機、  １５１  室内空調部、  １５２  第１の通信部、  １５３  第２の通信部、  １５４  表示部、  １５５  制御部、  １６０  リモコン、  １６１  スマートフォン。
【図１】
2018078842.tif 000003
【図２】
2018078842.tif 000004
【図３】
2018078842.tif 000005
【図４】
2018078842.tif 000006
【図５】
2018078842.tif 000007
【図６】
2018078842.tif 000008
【図７】
2018078842.tif 000009
【図８】
2018078842.tif 000010
【図９】
2018078842.tif 000011
【図１０】
2018078842.tif 000012
【図１１】
2018078842.tif 000013
【図１２】
2018078842.tif 000014
【図１３】
2018078842.tif 000015
【図１４】
2018078842.tif 000016
【図１５】
2018078842.tif 000017
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
冷凍サイクルを用いた空気調和機であって、
前記冷凍サイクルで用いられる冷媒を圧縮する圧縮機と、
熱交換器に送風を行うファンと、
直流電圧を生成するコンバータと、
前記直流電圧から三相交流電圧を生成するインバータと、
前記三相交流電圧が印加される複数のコイルを用いて、前記圧縮機を駆動するための駆動力を発生する電動機と、
前記複数のコイルの結線状態を、第１の結線状態及び第２の結線状態の間で切り換える結線切換部と、
前記結線切換部の異常を検出する制御部と、を備えること
を特徴とする空気調和機。
【請求項２】
前記空気調和機の運転を開始する入力を受け付ける入力受付部をさらに備え、
前記制御部は、前記入力受付部が前記入力を受けた後、前記圧縮機が駆動する前に、前記結線切換部の異常を検出すること
を特徴とする請求項１に記載の空気調和機。
【請求項３】
前記ファンは、室内機用であり、
前記制御部は、前記ファンが駆動した後に、前記結線切換部の異常を検出すること
を特徴とする請求項２に記載の空気調和機。
【請求項４】
前記ファンは、室外機用であり、
前記制御部は、前記ファンが駆動した後に、前記結線切換部の異常を検出すること
を特徴とする請求項２に記載の空気調和機。
【請求項５】
前記空気調和機の運転を開始する入力を受け付ける入力受付部をさらに備え、
前記制御部は、前記入力受付部による前記入力の受け付けを契機として、前記結線切換部の異常を検出すること
を特徴とする請求項１に記載の空気調和機。
【請求項６】
前記ファンは、室内機用であり、
前記制御部は、前記入力受付部が前記入力を受け付けた後、前記ファンが駆動する前に、前記結線切換部の異常を検出すること
を特徴とする請求項５に記載の空気調和機。
【請求項７】
前記インバータの入力側の電流の電流値を検出する電流検出部をさらに備え、
前記制御部は、前記電流値に基づいて、前記結線切換部の異常を検出すること
を特徴とする請求項１から６の何れか一項に記載の空気調和機。
【請求項８】
前記結線切換部は、前記複数のコイルの結線状態を、前記第１の結線状態及び前記第２の結線状態の何れか一方にし、
前記インバータ及び前記電動機は、第１の線、第２の線及び第３の線で接続されており、
前記インバータは、前記第１の線及び前記第２の線、前記第２の線及び前記第３の線、並びに、前記第３の線及び前記第１の線の組み合わせのそれぞれに順番に電圧を印加し、
前記電流検出部は、
前記インバータが前記第１の線及び前記第２の線にのみ電圧を印加した場合における前記インバータの入力側の電流の電流値を第１の電流値として検出し、
前記インバータが前記第２の線及び前記第３の線にのみ電圧を印加した場合における前記インバータの入力側の電流の電流値を第２の電流値として検出し、
前記インバータが前記第３の線及び前記第１の線にのみ電圧を印加した場合における前記インバータの入力側の電流の電流値を第３の電流値として検出し、
前記制御部は、前記第１の電流値、前記第２の電流値及び前記第３の電流値を比較することで、前記結線切換部の異常を検出すること
を特徴とする請求項７に記載の空気調和機。
【請求項９】
前記結線切換部は、前記複数のコイルの結線状態を、前記第１の結線状態及び前記第２の結線状態の何れか一方にし、
前記インバータ及び前記電動機は、第１の線、第２の線及び第３の線で接続されており、
前記インバータは、前記第１の線から前記第２の線及び前記第３の線への第１の方向にのみ、前記第２の線から前記第１の線及び前記第３の線への第２の方向にのみ、並びに、前記第３の線から前記第１の線及び前記第２の線への第３の方向にのみのそれぞれに順番に電流を流すように電圧を印加し、
前記電流検出部は、
前記インバータが前記第１の方向にのみ電流を流すように電圧を印加した場合における前記インバータの入力側の電流の電流値を第１の電流値として検出し、
前記インバータが前記第２の方向にのみ電流を流すように電圧を印加した場合における前記インバータの入力側の電流の電流値を第２の電流値として検出し、
前記インバータが前記第３の方向にのみ電流を流すように電圧を印加した場合における前記インバータの入力側の電流の電流値を第３の電流値として検出し、
前記制御部は、前記第１の電流値、前記第２の電流値及び前記第３の電流値を比較することで、前記結線切換部の異常を検出すること
を特徴とする請求項７に記載の空気調和機。
【請求項１０】
前記結線切換部は、前記複数のコイルの結線状態を、前記第１の結線状態及び前記第２の結線状態の何れか一方にし、
前記インバータ及び前記電動機は、第１の線、第２の線及び第３の線で接続されており、
前記インバータは、前記第１の線及び前記第２の線から前記第３の線への第１の方向にのみ、前記第２の線及び前記第３の線から前記第１の線への第２の方向にのみ、並びに、前記第１の線及び前記第３の線から前記第２の線への第３の方向にのみのそれぞれに順番に電流を流すように電圧を印加し、
前記電流検出部は、
前記インバータが前記第１の方向にのみ電流を流すように電圧を印加した場合における前記インバータの入力側の電流の電流値を第１の電流値として検出し、
前記インバータが前記第２の方向にのみ電流を流すように電圧を印加した場合における前記インバータの入力側の電流の電流値を第２の電流値として検出し、
前記インバータが前記第３の方向にのみ電流を流すように電圧を印加した場合における前記インバータの入力側の電流の電流値を第３の電流値として検出し、
前記制御部は、前記第１の電流値、前記第２の電流値及び前記第３の電流値を比較することで、前記結線切換部の異常を検出すること
を特徴とする請求項７に記載の空気調和機。
【請求項１１】
前記制御部は、前記第１の電流値、前記第２の電流値及び前記第３の電流値の少なくとも何れか一つが別の一つと異なる値である場合、又は、前記第１の電流値、前記第２の電流値及び前記第３の電流値の少なくとも一つが検出されない場合に、前記結線切換部に異常があると判断すること
を特徴とする請求項８から１０の何れか一項に記載の空気調和機。
【請求項１２】
前記制御部は、前記第１の電流値、前記第２の電流値及び前記第３の電流値のそれぞれの差の絶対値が、予め定められた閾値を超える場合に、前記第１の電流値、前記第２の電流値及び前記第３の電流値の少なくとも何れか一つが別の一つと異なる値であると判断すること
を特徴とする請求項１１に記載の空気調和機。
【請求項１３】
前記結線切換部は、前記電流検出部が前記第１の電流値、前記第２の電流値及び前記第３の電流値を検出した後に、前記複数のコイルの結線状態を、前記第１の結線状態及び前記第２の結線状態の何れか他方にし、
前記インバータは、前記第１の線及び前記第２の線、前記第２の線及び前記第３の線、並びに、前記第３の線及び前記第１の線の組み合わせのそれぞれに順番に電圧を印加し、
前記電流検出部は、
前記インバータが前記第１の線及び前記第２の線にのみ電圧を印加した場合における前記インバータの入力側の電流の電流値を第４の電流値として検出し、
前記インバータが前記第２の線及び前記第３の線にのみ電圧を印加した場合における前記インバータの入力側の電流の電流値を第５の電流値として検出し、
前記インバータが前記第３の線及び前記第１の線にのみ電圧を印加した場合における前記インバータの入力側の電流の電流値を第６の電流値として検出し、
前記制御部は、前記第４の電流値、前記第５の電流値及び前記第６の電流値を比較することで、前記結線切換部の異常を検出すること
を特徴とする請求項８に記載の空気調和機。
【請求項１４】
前記結線切換部は、前記電流検出部が前記第１の電流値、前記第２の電流値及び前記第３の電流値を検出した後に、前記複数のコイルの結線状態を、前記第１の結線状態及び前記第２の結線状態の何れか他方にし、
前記インバータは、前記第１の線から前記第２の線及び前記第３の線への第１の方向にのみ、前記第２の線から前記第１の線及び前記第３の線への第２の方向にのみ、並びに、前記第３の線から前記第１の線及び前記第２の線への第３の方向にのみのそれぞれに電流を流すように順番に電圧を印加し、
前記電流検出部は、
前記インバータが前記第１の方向にのみ電流を流すように電圧を印加した場合における前記インバータの入力側の電流の電流値を第４の電流値として検出し、
前記インバータが前記第２の方向にのみ電流を流すように電圧を印加した場合における前記インバータの入力側の電流の電流値を第５の電流値として検出し、
前記インバータが前記第３の方向にのみ電流を流すように電圧を印加した場合における前記インバータの入力側の電流の電流値を第６の電流値として検出し、
前記制御部は、前記第４の電流値、前記第５の電流値及び前記第６の電流値を比較することで、前記結線切換部の異常を検出すること
を特徴とする請求項９に記載の空気調和機。
【請求項１５】
前記結線切換部は、前記電流検出部が前記第１の電流値、前記第２の電流値及び前記第３の電流値を検出した後に、前記複数のコイルの結線状態を、前記第１の結線状態及び前記第２の結線状態の何れか他方にし、
前記インバータは、前記第１の線及び前記第２の線から前記第３の線への第１の方向にのみ、前記第２の線及び前記第３の線から前記第１の線への第２の方向にのみ、並びに、前記第１の線及び前記第３の線から前記第２の線への第３の方向にのみのそれぞれに電流を流すように順番に電圧を印加し、
前記電流検出部は、
前記インバータが前記第１の方向にのみ電流を流すように電圧を印加した場合における前記インバータの入力側の電流の電流値を第４の電流値として検出し、
前記インバータが前記第２の方向にのみ電流を流すように電圧を印加した場合における前記インバータの入力側の電流の電流値を第５の電流値として検出し、
前記インバータが前記第３の方向にのみ電流を流すように電圧を印加した場合における前記インバータの入力側の電流の電流値を第６の電流値として検出し、
前記制御部は、前記第４の電流値、前記第５の電流値及び前記第６の電流値を比較することで、前記結線切換部の異常を検出すること
を特徴とする請求項１０に記載の空気調和機。
【請求項１６】
前記インバータ及び前記電動機は、第１の線、第２の線及び第３の線で接続されており、
前記複数のコイルは、前記第１の線に一端が接続された第１のコイル、前記第２の線に一端が接続された第２のコイル及び前記第３の線に一端が接続された第３のコイルであり、
前記結線切換部は、
前記第１のコイルの他端の接続先を切り換える第１の切換部と、
前記第２のコイルの他端の接続先を切り換える第２の切換部と、
前記第３のコイルの他端の接続先を切り換える第３の切換部と、を備え、
前記第１の切換部、前記第２の切換部及び前記第３の切換部は、前記制御部からの指示に応じて、接続先を個別に切り換えること
を特徴とする請求項７に記載の空気調和機。
【請求項１７】
前記電流検出部は、
前記結線切換部が、前記複数のコイルの結線状態を、前記第１の結線状態及び前記第２の結線状態の何れか一方にし、前記インバータが前記第１の線及び前記第２の線にのみ電圧を印加した場合における前記インバータの入力側の電流の電流値を第１の電流値として検出し、
前記第１の切換部のみが、前記第１のコイルの接続先を切り換えた後に、前記インバータが、前記第１の線及び前記第２の線にのみ電圧を印加した場合における前記インバータの入力側の電流の電流値を第２の電流値として検出し、
前記制御部は、前記第１の電流値及び前記第２の電流値を比較することで、前記第１の切換部の異常を検出すること
を特徴とする請求項１６に記載の空気調和機。
【請求項１８】
前記電流検出部は、
前記結線切換部が、前記複数のコイルの結線状態を、前記第１の結線状態及び前記第２の結線状態の何れか一方にし、前記インバータが前記第１の線から前記第２の線及び前記第３の線への方向にのみ電流を流すように電圧を印加した場合における前記インバータの入力側の電流の電流値を第１の電流値として検出し、
前記第１の切換部のみが、前記第１のコイルの接続先を切り換えた後に、前記インバータが前記第１の線から前記第２の線及び前記第３の線への方向にのみ電流を流すように電圧を印加した場合における前記インバータの入力側の電流の電流値を第２の電流値として検出し、
前記制御部は、前記第１の電流値及び前記第２の電流値を比較することで、前記第１の切換部の異常を検出すること
を特徴とする請求項１６に記載の空気調和機。
【請求項１９】
前記電流検出部は、
前記結線切換部が、前記複数のコイルの結線状態を、前記第１の結線状態及び前記第２の結線状態の何れか一方にし、前記インバータが前記第１の線及び前記第２の線から前記第３の線への方向にのみ電流を流すように電圧を印加した場合における前記インバータの入力側の電流の電流値を第１の電流値として検出し、
前記第１の切換部のみが、前記第１のコイルの接続先を切り換えた後に、前記インバータが前記第１の線及び前記第２の線から前記第３の線への方向にのみ電流を流すように電圧を印加した場合における前記インバータの入力側の電流の電流値を第２の電流値として検出し、
前記制御部は、前記第１の電流値及び前記第２の電流値を比較することで、前記第１の切換部の異常を検出すること
を特徴とする請求項１６に記載の空気調和機。
【請求項２０】
前記第１の切換部、前記第２の切換部及び前記第３の切換部は、半導体スイッチであること
を特徴とする請求項１６から１９の何れか一項に記載の空気調和機。
【請求項２１】
前記半導体スイッチは、ＷＢＧ半導体を用いたスイッチング素子であること
を特徴とする請求項２０に記載の空気調和機。
【請求項２２】
複数のコイルを有する電動機を駆動する駆動装置であって、
直流電圧を生成するコンバータと、
前記直流電圧から三相交流電圧を生成し、前記複数のコイルに印加するインバータと、
前記複数のコイルの結線状態を、第１の結線状態及び第２の結線状態の間で切り換える結線切換部と、
前記結線切換部の異常を検出する制御部と、を備えること
を特徴とする駆動装置。
【手続補正２】
【補正対象書類名】明細書
【補正対象項目名】０００８
【補正方法】変更
【補正の内容】
【０００８】
本発明の一態様に係る空気調和機は、冷凍サイクルを用いた空気調和機であって、前記冷凍サイクルで用いられる冷媒を圧縮する圧縮機と、熱交換器に送風を行うファンと、直流電圧を生成するコンバータと、前記直流電圧から三相交流電圧を生成するインバータと、前記三相交流電圧が印加される複数のコイルを用いて、前記圧縮機を駆動するための駆動力を発生する電動機と、前記複数のコイルの結線状態を、第１の結線状態及び第２の結線状態の間で切り換える結線切換部と、前記結線切換部の異常を検出する制御部と、を備えることを特徴とする。
【国際調査報告】
2018078842.tif 000018
2018078842.tif 000019
2018078842.tif 000020
2018078842.tif 000021